(57)【要約】  本発明の実施例は、ＰＵＣＣＨの伝送について通信性能を向上させることができる無線通信方法及びデバイスを提供する。この方法は、リソース又は信号指示情報を決定することと、前記リソース又は信号指示情報に基づいて、伝送される物理上り制御チャネルＰＵＣＣＨと準共アドレスされる上り又は下り信号を決定することと、前記伝送されるＰＵＣＣＨと前記上り又は下り信号との準共アドレス関係を利用して、前記伝送されるＰＵＣＣＨを送信することとを含む。
2020537842.tif 000002
【特許請求の範囲】
【請求項１】
リソース又は信号指示情報を決定することと、
前記リソース又は信号指示情報に基づいて、伝送される物理上り制御チャネルＰＵＣＣＨと準共アドレスされる上り又は下り信号を決定することと、
前記伝送されるＰＵＣＣＨと前記上り又は下り信号との準共アドレス関係を利用して、前記伝送されるＰＵＣＣＨを送信することとを含む
ことを特徴とする無線通信方法。
【請求項２】
前記伝送されるＰＵＣＣＨと前記上り又は下り信号と準共アドレスされることは、前記伝送されるＰＵＣＣＨと前記上り又は下り信号とが、空間に対してパラメータ準共アドレスを受信することを含む
ことを特徴とする請求項１に記載の無線通信方法。
【請求項３】
前記伝送されるＰＵＣＣＨと前記上り又は下り信号との準共アドレス関係を利用して、前記伝送されるＰＵＣＣＨを送信することは、
前記伝送されるＰＵＣＣＨと前記上り又は下り信号との準共アドレス関係を利用して、前記伝送されるＰＵＣＣＨの送信ビームを決定することと、
決定された前記送信ビームを利用して、前記伝送されるＰＵＣＣＨを送信することとを含む
ことを特徴とする請求項１又は２に記載の無線通信方法。
【請求項４】
前記伝送されるＰＵＣＣＨと前記上り又は下り信号との準共アドレス関係を利用して、前記伝送されるＰＵＣＣＨの送信ビームを決定することは、
前記伝送されるＰＵＣＣＨと準共アドレスされる信号が上り信号である場合、前記上り信号の送信ビームを、前記伝送されるＰＵＣＣＨの送信ビームとして決定すること、又は、
前記伝送されるＰＵＣＣＨと準共アドレスされる信号が下り信号である場合、前記下り信号の受信ビームを、前記伝送されるＰＵＣＣＨの送信ビームとして決定することを含む
ことを特徴とする請求項３に記載の無線通信方法。
【請求項５】
前記リソース又は信号指示情報に基づいて、伝送されるＰＵＣＣＨと準共アドレスされる上り又は下り信号を決定することは、
前記リソース又は信号指示情報が示す信号を、前記伝送されるＰＵＣＣＨと準共アドレスされる前記上り又は下り信号として決定すること、又は、
前記リソース又は信号指示情報が示すリソースに伝送される信号を、前記伝送されるＰＵＣＣＨと準共アドレスされる前記上り又は下り信号として決定することを含む
ことを特徴とする請求項１〜４のいずれか１項に記載の無線通信方法。
【請求項６】
前記リソース又は信号指示情報は、サウンディング参照信号ＳＲＳリソース指示情報であり、少なくとも１つのＳＲＳリソースのうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す
ことを特徴とする請求項１〜５のいずれか１項に記載の無線通信方法。
【請求項７】
前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む
ことを特徴とする請求項１〜６のいずれか１項に記載の無線通信方法。
【請求項８】
前記端末のビーム相互性が利用可能であるかどうかに応じて、前記リソース又は信号指示情報的タイプを決定することは、
前記ビーム相互性が利用可能である場合、前記リソース又は信号指示情報のタイプをＣＳＩ−ＲＳリソース指示情報又は同期信号ブロック指示情報として決定し、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む
ことを特徴とする請求項７に記載の無線通信方法。
【請求項９】
前記リソース又は信号指示情報を決定することは、
前記伝送されるＰＵＣＣＨに対応する物理下り共有チャンネルＰＤＳＣＨをスケジューリングする下り制御情報ＤＣＩから、前記リソース又は信号指示情報を取得することを含む
ことを特徴とする請求項１〜８のいずれか１項に記載の無線通信方法。
【請求項１０】
前記伝送されるＰＵＣＣＨに下り伝送の肯定応答ＡＣＫコマンド又は否定応答ＡＣＫコマンドが含まれ、前記ＰＤＳＣＨに前記下り伝送が搬送される
ことを特徴とする請求項９に記載の無線通信方法。
【請求項１１】
前記方法は、さらに、
前記リソース又は信号指示情報に基づいて、前記ＤＣＩに含まれる、伝送されるＰＵＣＣＨのための送信電力制御ＴＰＣコマンドに対応する電力調整値の大きさを決定することを含む
ことを特徴とする請求項９又は１０に記載の無線通信方法。
【請求項１２】
前記方法は、さらに、
前記リソース又は信号指示情報に基づいて、前記ＤＣＩに含まれる、伝送されるＰＵＣＣＨのためのＴＰＣコマンドが属する閉ループ電力制御プロセスを決定することを含む
ことを特徴とする請求項９〜１１のいずれか１項に記載の無線通信方法。
【請求項１３】
前記リソース又は信号指示情報を決定することは、
最近に受信した、物理上り共有チャンネルＰＵＳＣＨのスケジューリングのためのＤＣＩから、前記リソース又は信号指示情報を取得することを含む
ことを特徴とする請求項１〜８のいずれか１項に記載の無線通信方法。
【請求項１４】
前記第１のリソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨ伝送のためのリソース又は信号指示情報のみを含み、且つ、前記第１のＤＣＩが前記伝送されるＰＵＣＣＨのためのＴＰＣコマンド及び前記伝送されるＰＵＣＣＨのための前記リソース又は信号指示情報を含む
ことを特徴とする請求項１〜８のいずれか１項に記載の無線通信方法。
【請求項１５】
前記リソース又は信号指示情報を決定することは、
上位レイヤシグナリングから前記リソース又は信号指示情報を取得することを含む
ことを特徴とする請求項１〜８のいずれか１項に記載の無線通信方法。
【請求項１６】
前記リソース又は信号指示情報を決定することは、
前記伝送されるＰＵＣＣＨが使用する電力制御プロセスに基づいて、前記リソース又は信号指示情報を決定することを含む
ことを特徴とする請求項１〜８のいずれか１項に記載の無線通信方法。
【請求項１７】
前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される
ことを特徴とする請求項１〜８のいずれか１項に記載の無線通信方法。
【請求項１８】
前記伝送されるＰＵＣＣＨに下り伝送の肯定応答ＡＣＫコマンド又は否定応答ＡＣＫコマンドが含まれる
ことを特徴とする請求項９〜１６のいずれか１項に記載の無線通信方法。
【請求項１９】
前記伝送されるＰＵＣＣＨにチャネル状態情報ＣＳＩが含まれる
ことを特徴とする請求項１３〜１７のいずれか１項に記載の無線通信方法。
【請求項２０】
前記リソース又は信号指示情報を決定することは、
前記伝送されるＰＵＣＣＨのＰＵＣＣＨフォーマットに基づいて、前記第１のリソース又は信号指示情報の取得方式を決定することと、
決定された前記取得方式に基づいて、前記リソース又は信号指示情報を取得することとを含む
ことを特徴とする請求項１〜１９のいずれか１項に記載の無線通信方法。
【請求項２１】
異なるＰＵＣＣＨフォーマットを利用するＰＵＣＣＨが使用するリソース又は信号の取得方式が、異なる
ことを特徴とする請求項２０に記載の無線通信方法。
【請求項２２】
リソース又は信号指示情報を決定することと、
前記リソース又は信号指示情報に基づいて、伝送される物理上り制御チャネルＰＵＣＣＨの送信ビームを決定することと、
確定された前記伝送されるＰＵＣＣＨの送信ビームを利用して、前記伝送されるＰＵＣＣＨを送信することとを含む
ことを特徴とする無線通信方法。
【請求項２３】
前記リソース又は信号指示情報に基づいて、伝送される物理上り制御チャネルＰＵＣＣＨの送信ビームを決定することは、
前記リソース又は信号指示情報が示す第１の信号の受信又は送信ビームに基づいて、前記伝送されるＰＵＣＣＨの送信ビームを決定すること、又は、
前記リソース又は信号指示情報が示すリソースに伝送される第２の信号の受信又は送信ビームに基づいて、前記伝送されるＰＵＣＣＨの送信ビームを決定することを含む
ことを特徴とする請求項２２に記載の無線通信方法。
【請求項２４】
前記リソース又は信号指示情報が示す第１の信号の受信又は送信ビームに基づいて、前記伝送されるＰＵＣＣＨの送信ビームを決定することは、
前記第１の信号が上り信号である場合、前記第１の信号の送信ビームを、前記伝送されるＰＵＣＣＨの送信ビームとして決定すること、又は、
前記第１の信号が下り信号である場合、前記第１の信号の受信ビームを、前記伝送されるＰＵＣＣＨの送信ビームとして決定することを含む
ことを特徴とする請求項２３に記載の無線通信方法。
【請求項２５】
前記リソース又は信号指示情報が示すリソースに伝送される第２の信号の受信又は送信ビームに基づいて、前記伝送されるＰＵＣＣＨの送信ビームを決定することは、
前記第２の信号が上り信号である場合、前記第２の信号の送信ビームを、前記伝送されるＰＵＣＣＨの送信ビームとして決定すること、又は、
前記第２の信号が下り信号である場合、前記第２の信号の受信ビームを、前記伝送されるＰＵＣＣＨの送信ビームとして決定することを含む
ことを特徴とする請求項２３に記載の無線通信方法。
【請求項２６】
前記リソース又は信号指示情報は、サウンディング参照信号ＳＲＳリソース指示情報であり、少なくとも１つのＳＲＳ中のうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す
ことを特徴とする請求項２２〜２５のいずれか１項に記載の無線通信方法。
【請求項２７】
前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む
ことを特徴とする請求項２２〜２６のいずれか１項に記載の無線通信方法。
【請求項２８】
前記ビーム相互性が利用可能であるかどうかに応じて、前記リソース又は信号指示情報のタイプを決定することは、
前記ビーム相互性が利用可能である場合、前記リソース又は信号指示情報のタイプをＣＳＩ−ＲＳリソース指示情報又は同期信号ブロック指示情報として決定し、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示すこと、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む
ことを特徴とする請求項２７に記載の無線通信方法。
【請求項２９】
前記リソース又は信号指示情報を決定することは、
前記伝送されるＰＵＣＣＨに対応するＰＤＳＣＨをスケジューリングする下り制御情報ＤＣＩから、前記リソース又は信号指示情報を取得することを含む
ことを特徴とする請求項２２〜２８のいずれか１項に記載の無線通信方法。
【請求項３０】
前記伝送されるＰＵＣＣＨに下り伝送の肯定応答ＡＣＫコマンド又は否定応答ＡＣＫコマンドが含まれ、前記ＰＤＳＣＨに前記下り伝送が搬送される
ことを特徴とする請求項２９に記載の無線通信方法。
【請求項３１】
前記方法は、さらに、
前記リソース又は信号指示情報に基づいて、前記ＤＣＩに含まれる、前記伝送されるＰＵＣＣＨのための送信電力制御ＴＰＣコマンドに対応する電力調整値の大きさを決定することを含む
ことを特徴とする請求項２９又は３０に記載の無線通信方法。
【請求項３２】
前記方法は、さらに、
前記リソース又は信号指示情報に基づいて、前記ＤＣＩに含まれる、前記伝送されるＰＵＣＣＨのためのＴＰＣコマンドが位置する閉ループ電力制御プロセスを決定することを含む
ことを特徴とする請求項２９〜３１のいずれか１項に記載の無線通信方法。
【請求項３３】
前記リソース又は信号指示情報を決定することは、
最近に受信した、物理上り共有チャンネルＰＵＳＣＨのスケジューリングのためのＤＣＩから、前記リソース又は信号指示情報を取得することを含む
ことを特徴とする請求項２２〜２８のいずれか１項に記載の無線通信方法。
【請求項３４】
前記リソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨのためのリソース又は信号指示情報のみを含み、且つ、前記ＤＣＩが前記伝送されるＰＵＣＣＨのＴＰＣコマンド及び前記伝送されるＰＵＣＣＨのための前記リソース又は信号指示情報を含む
ことを特徴とする請求項２２〜２８のいずれか１項に記載の無線通信方法。
【請求項３５】
前記リソース又は信号指示情報を決定することは、
上位レイヤシグナリングから前記リソース又は信号指示情報を取得することを含む
ことを特徴とする請求項２２〜２８のいずれか１項に記載の無線通信方法。
【請求項３６】
前記リソース又は信号指示情報を決定することは、
前記伝送されるＰＵＣＣＨが使用する電力制御プロセスに基づいて、前記リソース又は信号指示情報を決定することを含む
ことを特徴とする請求項２２〜２８のいずれか１項に記載の無線通信方法。
【請求項３７】
前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される
ことを特徴とする請求項２２〜２８のいずれか１項に記載の無線通信方法。
【請求項３８】
前記伝送されるＰＵＣＣＨに下り伝送の肯定応答ＡＣＫコマンド又は否定応答ＡＣＫコマンドが含まれる
ことを特徴とする請求項２９〜３６のいずれか１項に記載の無線通信方法。
【請求項３９】
前記伝送されるＰＵＣＣＨにチャネル状態情報ＣＳＩが含まれる
ことを特徴とする請求項３３〜３７のいずれか１項に記載の無線通信方法。
【請求項４０】
前記リソース又は信号指示情報を決定することは、
前記伝送されるＰＵＣＣＨのフォーマットに基づいて、前記リソース又は信号指示情報の取得方式を決定することと、
決定された前記取得方式に基づいて、前記リソース又は信号指示情報を取得することとを含む
ことを特徴とする請求項２２〜３９のいずれか１項に記載の無線通信方法。
【請求項４１】
異なるＰＵＣＣＨフォーマットを利用するＰＵＣＣＨが使用するリソース又は信号の取得方式が、異なる
ことを特徴とする請求項４０に記載の無線通信方法。
【請求項４２】
処理ユニットと通信ユニットとを備える端末であって、
前記処理ユニットは、リソース又は信号指示情報を決定し、前記リソース又は信号指示情報に基づいて、伝送される物理上り制御チャネルＰＵＣＣＨと準共アドレスされる上り又は下り信号を決定するように構成され、
前記通信ユニットは、前記伝送されるＰＵＣＣＨと前記上り又は下り信号との準共アドレス関係を利用して、前記伝送されるＰＵＣＣＨを送信するように構成される
ことを特徴とする端末。
【請求項４３】
前記伝送されるＰＵＣＣＨと前記上り又は下り信号と準共アドレスされることは、前記伝送されるＰＵＣＣＨと前記上り又は下り信号とが、空間に対してパラメータ準共アドレスを受信することを含む
ことを特徴とする請求項４２に記載の端末。
【請求項４４】
前記通信ユニットは、さらに、
前記伝送されるＰＵＣＣＨと前記上り又は下り信号との準共アドレス関係を利用して、前記伝送されるＰＵＣＣＨの送信ビームを決定し、
決定された前記送信ビームを利用して、前記伝送されるＰＵＣＣＨを送信するように構成される
ことを特徴とする請求項４２又は４３に記載の端末。
【請求項４５】
前記通信ユニットは、さらに、
前記伝送されるＰＵＣＣＨと準共アドレスされる信号が上り信号である場合、前記上り信号の送信ビームを、前記伝送されるＰＵＣＣＨの送信ビームとして決定し、又は、
前記伝送されるＰＵＣＣＨと準共アドレスされる信号が下り信号である場合、前記下り信号の受信ビームを、前記伝送されるＰＵＣＣＨの送信ビームとして決定するように構成される
ことを特徴とする請求項４４に記載の端末。
【請求項４６】
前記処理ユニットは、さらに、
前記リソース又は信号指示情報が示す信号を、前記伝送されるＰＵＣＣＨと準共アドレスされる前記上り又は下り信号として決定し、又は、
前記リソース又は信号指示情報が示すリソースに伝送される信号を、前記伝送されるＰＵＣＣＨと準共アドレスされる前記上り又は下り信号として決定するように構成される
ことを特徴とする請求項４２〜４５のいずれか１項に記載の端末。
【請求項４７】
前記リソース又は信号指示情報は、サウンディング参照信号ＳＲＳリソース指示情報であり、少なくとも１つのＳＲＳリソースのうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す
ことを特徴とする請求項４２〜４６のいずれか１項に記載の端末。
【請求項４８】
前記処理ユニットは、さらに、
ビーム相互性が利用可能であるかどうかに応じて、前記リソース又は信号指示情報のタイプを決定し、
前記タイプを有する前記リソース又は信号指示情報を決定するように構成される
ことを特徴とする請求項４２〜４７のいずれか１項に記載の端末。
【請求項４９】
前記処理ユニットは、さらに、
前記ビーム相互性が利用可能である場合、前記リソース又は信号指示情報のタイプをＣＳＩ−ＲＳリソース指示情報又は同期信号ブロック指示情報として決定し、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すように構成される
ことを特徴とする請求項４８に記載の端末。
【請求項５０】
前記処理ユニットは、さらに、
前記伝送されるＰＵＣＣＨに対応する物理下り共有チャンネルＰＤＳＣＨをスケジューリングする下り制御情報ＤＣＩから、前記リソース又は信号指示情報を取得するように構成される
ことを特徴とする請求項４２〜４９のいずれか１項に記載の端末。
【請求項５１】
前記伝送されるＰＵＣＣＨに下り伝送の肯定応答ＡＣＫコマンド又は否定応答ＡＣＫコマンドが含まれ、前記ＰＤＳＣＨに前記下り伝送が搬送される
ことを特徴とする請求項５０に記載の端末。
【請求項５２】
前記処理ユニットは、さらに、
前記リソース又は信号指示情報に基づいて、前記ＤＣＩに含まれる、伝送されるＰＵＣＣＨのための送信電力制御ＴＰＣコマンドに対応する電力調整値の大きさを決定するように構成される
ことを特徴とする請求項５０又は５１に記載の端末。
【請求項５３】
前記処理ユニットは、さらに、
前記リソース又は信号指示情報に基づいて、前記ＤＣＩに含まれる、伝送されるＰＵＣＣＨのためのＴＰＣコマンドが属する閉ループ電力制御プロセスを決定するように構成される
ことを特徴とする請求項５０〜５２のいずれか１項に記載の端末。
【請求項５４】
前記処理ユニットは、さらに、
前記通信ユニットが最近に受信した、物理上り共有チャンネルＰＵＳＣＨのスケジューリングためのＤＣＩから、前記リソース又は信号指示情報を取得するように構成される
ことを特徴とする請求項４２〜４９のいずれか１項に記載の端末。
【請求項５５】
前記処理ユニットは、さらに、
ＤＣＩから前記リソース又は信号指示情報を取得するように構成され、前記ＤＣＩがＰＵＣＣＨのためのＴＰＣコマンド及びＰＵＣＣＨ伝送のためのリソース又は信号指示情報のみを含み、且つ、前記第１のＤＣＩが前記伝送されるＰＵＣＣＨのためのＴＰＣコマンド及び前記伝送されるＰＵＣＣＨのための前記リソース又は信号指示情報を含む
ことを特徴とする請求項４２〜４９のいずれか１項に記載の端末。
【請求項５６】
前記処理ユニットは、さらに、
上位レイヤシグナリングから前記リソース又は信号指示情報を取得するように構成される
ことを特徴とする請求項４２〜４９のいずれか１項に記載の端末。
【請求項５７】
前記処理ユニットは、さらに、
前記伝送されるＰＵＣＣＨが使用する電力制御プロセスに基づいて、前記リソース又は信号指示情報を決定するように構成される
ことを特徴とする請求項４２〜４９のいずれか１項に記載の端末。
【請求項５８】
前記処理ユニットは、さらに、
チャネル状態情報ＣＳＩに対応するＣＳＩ報告構成から、前記リソース又は信号指示情報を取得するように構成され、前記伝送されるＰＵＣＣＨに前記ＣＳＩが伝送される
ことを特徴とする請求項４２〜４９のいずれか１項に記載の端末。
【請求項５９】
前記伝送されるＰＵＣＣＨに下り伝送の肯定応答ＡＣＫコマンド又は否定応答ＡＣＫコマンドが含まれる
ことを特徴とする請求項５０〜５７のいずれか１項に記載の端末。
【請求項６０】
前記伝送されるＰＵＣＣＨにチャネル状態情報ＣＳＩが含まれる
ことを特徴とする請求項５４〜５８のいずれか１項に記載の端末。
【請求項６１】
前記処理ユニットは、さらに、
前記伝送されるＰＵＣＣＨのＰＵＣＣＨフォーマットに基づいて、前記第１のリソース又は信号指示情報の取得方式を決定し、
決定された前記取得方式に基づいて、前記リソース又は信号指示情報を取得するように構成される
ことを特徴とする請求項４２〜６０のいずれか１項に記載の端末。
【請求項６２】
異なるＰＵＣＣＨフォーマットを利用するＰＵＣＣＨが使用するリソース又は信号の取得方式が、異なる
ことを特徴とする請求項６１に記載の端末。
【請求項６３】
処理ユニットと通信ユニットとを備える端末であって、
前記処理ユニットは、リソース又は信号指示情報を決定し、前記リソース又は信号指示情報に基づいて、伝送される物理上り制御チャネルＰＵＣＣＨの送信ビームを決定するように構成され、
前記通信ユニットは、前記処理ユニットにより決定された前記伝送されるＰＵＣＣＨの送信ビームを利用して、前記伝送されるＰＵＣＣＨを送信するように構成される
ことを特徴とする端末。
【請求項６４】
前記処理ユニットは、さらに、
前記リソース又は信号指示情報が示す第１の信号の受信又は送信ビームに基づいて、前記伝送されるＰＵＣＣＨの送信ビームを決定し、又は、
前記リソース又は信号指示情報が示すリソースに伝送される第２の信号の受信又は送信ビームに基づいて、前記伝送されるＰＵＣＣＨの送信ビームを決定するように構成される
ことを特徴とする請求項６３に記載の端末。
【請求項６５】
前記処理ユニットは、さらに、
前記第１の信号が上り信号である場合、前記第１の信号の送信ビームを、前記伝送されるＰＵＣＣＨの送信ビームとして決定し、又は、
前記第１の信号が下り信号である場合、前記第１の信号の受信ビームを、前記伝送されるＰＵＣＣＨの送信ビームとして決定するように構成される
ことを特徴とする請求項６４に記載の端末。
【請求項６６】
前記処理ユニットは、さらに、
前記第２の信号が上り信号である場合、前記第２の信号の送信ビームを、前記伝送されるＰＵＣＣＨの送信ビームとして決定し、又は、
前記第２の信号が下り信号である場合、前記第２の信号の受信ビームを、前記伝送されるＰＵＣＣＨの送信ビームとして決定するように構成される
ことを特徴とする請求項６４に記載の端末。
【請求項６７】
前記リソース又は信号指示情報は、サウンディング参照信号ＳＲＳリソース指示情報であり、少なくとも１つのＳＲＳ中のうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す
ことを特徴とする請求項６３〜６６のいずれか１項に記載の端末。
【請求項６８】
前記処理ユニットは、さらに、
ビーム相互性が利用可能であるかどうかに応じて、前記リソース又は信号指示情報のタイプを決定し、
前記タイプを有する前記リソース又は信号指示情報を決定するように構成される
ことを特徴とする請求項６３〜６７のいずれか１項に記載の端末。
【請求項６９】
前記処理ユニットは、さらに、
前記ビーム相互性が利用可能である場合、前記リソース又は信号指示情報のタイプをＣＳＩ−ＲＳリソース指示情報又は同期信号ブロック指示情報として決定し、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すように構成される
ことを特徴とする請求項６８に記載の端末。
【請求項７０】
前記処理ユニットは、さらに、
前記伝送されるＰＵＣＣＨに対応するＰＤＳＣＨをスケジューリングする下り制御情報ＤＣＩから、前記リソース又は信号指示情報を取得するように構成される
ことを特徴とする請求項６３〜６９のいずれか１項に記載の端末。
【請求項７１】
前記伝送されるＰＵＣＣＨに下り伝送の肯定応答ＡＣＫコマンド又は否定応答ＡＣＫコマンドが含まれ、前記ＰＤＳＣＨに前記下り伝送が搬送される
ことを特徴とする請求項７０に記載の端末。
【請求項７２】
前記処理ユニットは、さらに、
前記リソース又は信号指示情報に基づいて、前記ＤＣＩに含まれる、前記伝送されるＰＵＣＣＨのための送信電力制御ＴＰＣコマンドに対応する電力調整値の大きさを決定するように構成される
ことを特徴とする請求項７０又は７１に記載の端末。
【請求項７３】
前記処理ユニットは、さらに、
前記リソース又は信号指示情報に基づいて、前記ＤＣＩに含まれる、前記伝送されるＰＵＣＣＨのためのＴＰＣコマンドが位置する閉ループ電力制御プロセスを決定するように構成される
ことを特徴とする請求項７０〜７２のいずれか１項に記載の端末。
【請求項７４】
前記処理ユニットは、さらに、
前記通信ユニットが最近に受信した、物理上り共有チャンネルＰＵＳＣＨのスケジューリングのためのＤＣＩから、前記リソース又は信号指示情報を取得するように構成される
ことを特徴とする請求項６３〜６９のいずれか１項に記載の端末。
【請求項７５】
前記処理ユニットは、さらに、
ＤＣＩから前記リソース又は信号指示情報を取得するように構成され、前記ＤＣＩがＰＵＣＣＨのためのＴＰＣコマンド及びＰＵＣＣＨのためのリソース又は信号指示情報のみを含み、且つ、前記ＤＣＩが前記伝送されるＰＵＣＣＨのＴＰＣコマンド及び前記伝送されるＰＵＣＣＨのための前記リソース又は信号指示情報を含む
ことを特徴とする請求項６３〜６９のいずれか１項に記載の端末。
【請求項７６】
前記処理ユニットは、さらに、
上位レイヤシグナリングから前記リソース又は信号指示情報を取得するように構成される
ことを特徴とする請求項６３〜６９のいずれか１項に記載の端末。
【請求項７７】
前記処理ユニットは、さらに、
前記伝送されるＰＵＣＣＨが使用する電力制御プロセスに基づいて、前記リソース又は信号指示情報を決定するように構成される
ことを特徴とする請求項６３〜６９のいずれか１項に記載の端末。
【請求項７８】
前記処理ユニットは、さらに、
チャネル状態情報ＣＳＩに対応するＣＳＩ報告構成から、前記リソース又は信号指示情報を取得するように構成され、前記伝送されるＰＵＣＣＨに前記ＣＳＩが伝送される
ことを特徴とする請求項６３〜６９のいずれか１項に記載の端末。
【請求項７９】
前記伝送されるＰＵＣＣＨに下り伝送の肯定応答ＡＣＫコマンド又は否定応答ＡＣＫコマンドが含まれる
ことを特徴とする請求項７０〜７７のいずれか１項に記載の端末。
【請求項８０】
前記伝送されるＰＵＣＣＨにチャネル状態情報ＣＳＩが含まれる
ことを特徴とする請求項７４〜７８のいずれか１項に記載の端末。
【請求項８１】
前記処理ユニットは、さらに、
前記伝送されるＰＵＣＣＨのフォーマットに基づいて、前記リソース又は信号指示情報の取得方式を決定し、
決定された前記取得方式に基づいて、前記リソース又は信号指示情報を取得するように構成される
ことを特徴とする請求項６３〜８０に記載の端末。
【請求項８２】
異なるＰＵＣＣＨフォーマットを利用するＰＵＣＣＨが使用するリソース又は信号の取得方式が、異なる
ことを特徴とする請求項８１に記載の端末。
【発明の詳細な説明】
【技術分野】
【０００１】
本願は、通信分野に関し、具体的に、無線通信方法及びデバイスに関する。
【背景技術】
【０００２】
ロングタームエボリューションシステム( Ｌｏｎｇ Ｔｉｍｅ Ｅｖｏｌｕｔｉｏｎ、ＬＴＥ )システムにおいて、端末は、ネットワークデバイスに物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )を送信し、ＰＵＣＣＨは、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )伝送される下り送信の肯定応答( Ａｃｋｎｏｗｌｅｄｇｅ、ＡＣＫ )または否定応答( Ｎｏｎ−Ａｃｋｎｏｗｌｅｄｇｅ、ＮＡＣＫ )を搬送し、または下り状態情報( Ｃｈａｎｎｅｌ Ｓｔａｔｅ Ｉｎｆｏｒｍａｔｉｏｎ、ＣＳＩ )を搬送し得る。
【０００３】
ＮＲ( Ｎｅｗ Ｒａｄｉｏ)システムでは、通信性能に対する要求が高い。
【０００４】
したがって、ＮＲシステムにおいて、ＰＵＣＣＨの伝送に関して、どのように通信性能を向上させるかが、解決すべき課題である。
【発明の概要】
【０００５】
本願の実施例は、ＰＵＣＣＨの伝送に関して通信性能を向上させることができる無線通信方法及びデバイスを提供する。
【０００６】
第１の態様は、無線通信方法を提供し、
リソース又は信号指示情報を決定することと、
前記リソース又は信号指示情報に基づいて、伝送される物理上り制御チャネルＰＵＣＣＨと準共アドレスされる上り又は下り信号を決定することと、
前記伝送されるＰＵＣＣＨと前記上り又は下り信号との準共アドレス関係を利用して、前記伝送されるＰＵＣＣＨを送信することとを含む。
【０００７】
したがって、端末は、リソースまたは信号指示情報によって指示されるリソースまたは信号に基づいて、伝送されるＰＵＣＣＨと準共アドレスされる第１の上り信号および下り信号を取得し、伝送されるＰＵＣＣＨと、当該上り信号または下り信号との準共アドレス関係を用いて、伝送されるＰＵＣＣＨを送信することができることで、伝送されるＰＵＣＣＨが盲目的に送信されることを回避することができ、伝送されるＰＵＣＣＨの適切な送信を実現し、通信性能を向上させることができる。
【０００８】
第１の態様と結合し、第１の態様の実現可能な方式において、前記伝送されるＰＵＣＣＨと前記上り又は下り信号と準共アドレスされることは、前記伝送されるＰＵＣＣＨと前記上り又は下り信号とが、空間に対してパラメータ準共アドレスを受信することを含む。
【０００９】
第１の態様又は上記の実現可能な方式と結合し、第１の態様の他の実現可能な方式において、前記伝送されるＰＵＣＣＨと前記上り又は下り信号との準共アドレス関係を利用して、前記伝送されるＰＵＣＣＨを送信することは、
前記伝送されるＰＵＣＣＨと前記上り又は下り信号との準共アドレス関係を利用して、前記伝送されるＰＵＣＣＨの送信ビームを決定することと、
決定された前記送信ビームを利用して、前記伝送されるＰＵＣＣＨを送信することとを含む。
【００１０】
したがって、端末は、リソースまたは信号指示情報によって指示されるリソース上で送信される信号の送信または受信ビーム、またはリソースまたは信号指示情報によって指示される信号の送信または受信ビームに従って、伝送されるＰＵＣＣＨの送信ビームの選択を行うことができ、伝送されるＰＵＣＣＨにに対してより適切な送信ビームを選択し、より大きなビームフォーミングゲインを実現し、通信性能をさらに向上させることができる。
【００１１】
第１の態様又は上記の実現可能な方式と結合し、第１の態様の他の実現可能な方式において、前記伝送されるＰＵＣＣＨと前記上り又は下り信号との準共アドレス関係を利用して、前記伝送されるＰＵＣＣＨの送信ビームを決定することは、
前記伝送されるＰＵＣＣＨと準共アドレスされる信号が上り信号である場合、前記上り信号の送信ビームを、前記伝送されるＰＵＣＣＨの送信ビームとして決定すること、又は、
前記伝送されるＰＵＣＣＨと準共アドレスされる信号が下り信号である場合、前記下り信号の受信ビームを、前記伝送されるＰＵＣＣＨの送信ビームとして決定することを含む。
【００１２】
第１の態様又は上記の実現可能な方式と結合し、第１の態様の他の実現可能な方式において、前記リソース又は信号指示情報に基づいて、伝送されるＰＵＣＣＨと準共アドレスされる上り又は下り信号を決定することは、
前記リソース又は信号指示情報が示す信号を、前記伝送されるＰＵＣＣＨと準共アドレスされる前記上り又は下り信号として決定すること、又は、
前記リソース又は信号指示情報が示すリソースに伝送される信号を、前記伝送されるＰＵＣＣＨと準共アドレスされる前記上り又は下り信号として決定することを含む。
【００１３】
第１の態様又は上記の実現可能な方式と結合し、第１の態様の他の実現可能な方式において、前記リソース又は信号指示情報は、サウンディング参照信号ＳＲＳリソース指示情報であり、少なくとも１つのＳＲＳリソースのうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す。
【００１４】
第１の態様又は上記の実現可能な方式と結合し、第１の態様の他の実現可能な方式において、前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む。
【００１５】
第１の態様又は上記の実現可能な方式と結合し、第１の態様の他の実現可能な方式において、前記端末のビーム相互性が利用可能であるかどうかに応じて、前記リソース又は信号指示情報的タイプを決定することは、
前記ビーム相互性が利用可能である場合、前記リソース又は信号指示情報のタイプをＣＳＩ−ＲＳリソース指示情報又は同期信号ブロック指示情報として決定し、ここで、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む。
【００１６】
第１の態様又は上記の実現可能な方式と結合し、第１の態様の他の実現可能な方式において、前記リソース又は信号指示情報を決定することは、
前記伝送されるＰＵＣＣＨに対応する物理下り共有チャンネルＰＤＳＣＨをスケジューリングする下り制御情報ＤＣＩから、前記リソース又は信号指示情報を取得することを含む。
【００１７】
第１の態様又は上記の実現可能な方式と結合し、第１の態様の他の実現可能な方式において、前記伝送されるＰＵＣＣＨに下り伝送の肯定応答ＡＣＫコマンド又は否定応答ＡＣＫコマンドが含まれ、前記ＰＤＳＣＨに前記下り伝送が搬送される。
【００１８】
第１の態様又は上記の実現可能な方式と結合し、第１の態様の他の実現可能な方式において、前記方法は、さらに、
前記リソース又は信号指示情報に基づいて、前記ＤＣＩに含まれる、伝送されるＰＵＣＣＨのための送信電力制御ＴＰＣコマンドに対応する電力調整値の大きさを決定することを含む。
【００１９】
第１の態様又は上記の実現可能な方式と結合し、第１の態様の他の実現可能な方式において、前記方法は、さらに、
前記リソース又は信号指示情報に基づいて、前記ＤＣＩに含まれる、伝送されるＰＵＣＣＨのためのＴＰＣコマンドが属する閉ループ電力制御プロセスを決定することを含む。
【００２０】
第１の態様又は上記の実現可能な方式と結合し、第１の態様の他の実現可能な方式において、前記リソース又は信号指示情報を決定することは、
最近に受信した、物理上り共有チャンネルＰＵＳＣＨのスケジューリングのためのＤＣＩから、前記リソース又は信号指示情報を取得することを含む。
【００２１】
第１の態様又は上記の実現可能な方式と結合し、第１の態様の他の実現可能な方式において、前記第１のリソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨ伝送のためのリソース又は信号指示情報のみを含み、且つ、前記第１のＤＣＩが前記伝送されるＰＵＣＣＨのためのＴＰＣコマンド及び前記伝送されるＰＵＣＣＨのための前記リソース又は信号指示情報を含む。
【００２２】
第１の態様又は上記の実現可能な方式と結合し、第１の態様の他の実現可能な方式において、前記リソース又は信号指示情報を決定することは、
上位レイヤシグナリングから前記リソース又は信号指示情報を取得することを含む。
【００２３】
第１の態様又は上記の実現可能な方式と結合し、第１の態様の他の実現可能な方式において、前記リソース又は信号指示情報を決定することは、
前記伝送されるＰＵＣＣＨが使用する電力制御プロセスに基づいて、前記リソース又は信号指示情報を決定することを含む。
【００２４】
第１の態様又は上記の実現可能な方式と結合し、第１の態様の他の実現可能な方式において、前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される。
【００２５】
第１の態様又は上記の実現可能な方式と結合し、第１の態様の他の実現可能な方式において、前記伝送されるＰＵＣＣＨに下り伝送の肯定応答ＡＣＫコマンド又は否定応答ＡＣＫコマンドが含まれる。
【００２６】
第１の態様又は上記の実現可能な方式と結合し、第１の態様の他の実現可能な方式において、前記伝送されるＰＵＣＣＨにチャネル状態情報ＣＳＩが含まれる。
【００２７】
第１の態様又は上記の実現可能な方式と結合し、第１の態様の他の実現可能な方式において、前記リソース又は信号指示情報を決定することは、
前記伝送されるＰＵＣＣＨのＰＵＣＣＨフォーマットに基づいて、前記第１のリソース又は信号指示情報の取得方式を決定することと、
決定された前記取得方式に基づいて、前記リソース又は信号指示情報を取得することとを含む。
【００２８】
第１の態様又は上記の実現可能な方式と結合し、第１の態様の他の実現可能な方式において、異なるＰＵＣＣＨフォーマットを利用するＰＵＣＣＨが使用するリソース又は信号の取得方式が、異なる。
【００２９】
第２の態様は、無線通信方法を提供し、
リソース又は信号指示情報を決定することと、
前記リソース又は信号指示情報に基づいて、伝送される物理上り制御チャネルＰＵＣＣＨの送信ビームを決定することと、
確定された前記伝送されるＰＵＣＣＨの送信ビームを利用して、前記伝送されるＰＵＣＣＨを送信することとを含む。
【００３０】
したがって、端末は、リソースまたは信号指示情報によって、伝送されるＰＵＣＣＨの送信ビームの選択を行うことができ、伝送されるＰＵＣＣＨに対してより適切な送信ビームを選択し、より大きなビームフォーミングゲインを実現し、通信性能をさらに向上させることができる。
【００３１】
第２の態様と結合し、第２の態様の実現可能な方式において、前記リソース又は信号指示情報に基づいて、伝送される物理上り制御チャネルＰＵＣＣＨの送信ビームを決定することは、
前記リソース又は信号指示情報が示す第１の信号の受信又は送信ビームに基づいて、前記伝送されるＰＵＣＣＨの送信ビームを決定すること、又は、
前記リソース又は信号指示情報が示すリソースに伝送される第２の信号の受信又は送信ビームに基づいて、前記伝送されるＰＵＣＣＨの送信ビームを決定することを含む。
【００３２】
第２の態様又は上記の実現可能な方式と結合し、第２の態様の他の実現可能な方式において、前記リソース又は信号指示情報が示す第１の信号の受信又は送信ビームに基づいて、前記伝送されるＰＵＣＣＨの送信ビームを決定することは、
前記第１の信号が上り信号である場合、前記第１の信号の送信ビームを、前記伝送されるＰＵＣＣＨの送信ビームとして決定すること、又は、
前記第１の信号が下り信号である場合、前記第１の信号の受信ビームを、前記伝送されるＰＵＣＣＨの送信ビームとして決定することを含む。
【００３３】
第２の態様又は上記の実現可能な方式と結合し、第２の態様の他の実現可能な方式において、前記リソース又は信号指示情報が示すリソースに伝送される第２の信号の受信又は送信ビームに基づいて、前記伝送されるＰＵＣＣＨの送信ビームを決定することは、
前記第２の信号が上り信号である場合、前記第２の信号の送信ビームを、前記伝送されるＰＵＣＣＨの送信ビームとして決定すること、又は、
前記第２の信号が下り信号である場合、前記第２の信号の受信ビームを、前記伝送されるＰＵＣＣＨの送信ビームとして決定することを含む。
【００３４】
第２の態様又は上記の実現可能な方式と結合し、第２の態様の他の実現可能な方式において、前記リソース又は信号指示情報は、サウンディング参照信号ＳＲＳリソース指示情報であり、少なくとも１つのＳＲＳ中のうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す。
【００３５】
第２の態様又は上記の実現可能な方式と結合し、第２の態様の他の実現可能な方式において、前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む。
【００３６】
第２の態様又は上記の実現可能な方式と結合し、第２の態様の他の実現可能な方式において、前記ビーム相互性が利用可能であるかどうかに応じて、前記リソース又は信号指示情報のタイプを決定することは、
前記ビーム相互性が利用可能である場合、前記リソース又は信号指示情報のタイプをＣＳＩ−ＲＳリソース指示情報又は同期信号ブロック指示情報として決定し、ここで、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む。
【００３７】
第２の態様又は上記の実現可能な方式と結合し、第２の態様の他の実現可能な方式において、前記リソース又は信号指示情報を決定することは、
前記伝送されるＰＵＣＣＨに対応するＰＤＳＣＨをスケジューリングする下り制御情報ＤＣＩから、前記リソース又は信号指示情報を取得することを含む。
【００３８】
第２の態様又は上記の実現可能な方式と結合し、第２の態様の他の実現可能な方式において、前記伝送されるＰＵＣＣＨに下り伝送の肯定応答ＡＣＫコマンド又は否定応答ＡＣＫコマンドが含まれ、前記ＰＤＳＣＨに前記下り伝送が搬送される。
【００３９】
第２の態様又は上記の実現可能な方式と結合し、第２の態様の他の実現可能な方式において、前記方法は、さらに、
前記リソース又は信号指示情報に基づいて、前記ＤＣＩに含まれる、前記伝送されるＰＵＣＣＨ のための送信電力制御ＴＰＣコマンドに対応する電力調整値の大きさを決定することを含む。
【００４０】
第２の態様又は上記の実現可能な方式と結合し、第２の態様の他の実現可能な方式において、前記方法は、さらに、
前記リソース又は信号指示情報に基づいて、前記ＤＣＩに含まれる、前記伝送されるＰＵＣＣＨのためのＴＰＣコマンドが位置する閉ループ電力制御プロセスを決定することを含む。
【００４１】
第２の態様又は上記の実現可能な方式と結合し、第２の態様の他の実現可能な方式において、前記リソース又は信号指示情報を決定することは、
最近に受信した、物理上り共有チャンネルＰＵＳＣＨのスケジューリングのためのＤＣＩから、前記リソース又は信号指示情報を取得することを含む。
【００４２】
第２の態様又は上記の実現可能な方式と結合し、第２の態様の他の実現可能な方式において、前記リソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨのためのリソース又は信号指示情報のみを含み、且つ、前記ＤＣＩが前記伝送されるＰＵＣＣＨのＴＰＣコマンド及び前記伝送されるＰＵＣＣＨのための前記リソース又は信号指示情報を含む。
【００４３】
第２の態様又は上記の実現可能な方式と結合し、第２の態様の他の実現可能な方式において、前記リソース又は信号指示情報を決定することは、
上位レイヤシグナリングから前記リソース又は信号指示情報を取得することを含む。
【００４４】
第２の態様又は上記の実現可能な方式と結合し、第２の態様の他の実現可能な方式において、前記リソース又は信号指示情報を決定することは、
前記伝送されるＰＵＣＣＨが使用する電力制御プロセスに基づいて、前記リソース又は信号指示情報を決定することを含む。
【００４５】
第２の態様又は上記の実現可能な方式と結合し、第２の態様の他の実現可能な方式において、前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される。
【００４６】
第２の態様又は上記の実現可能な方式と結合し、第２の態様の他の実現可能な方式において、前記伝送されるＰＵＣＣＨに下り伝送の肯定応答ＡＣＫコマンド又は否定応答ＡＣＫコマンドが含まれる。
【００４７】
第２の態様又は上記の実現可能な方式と結合し、第２の態様の他の実現可能な方式において、前記伝送されるＰＵＣＣＨにチャネル状態情報ＣＳＩが含まれる。
【００４８】
第２の態様又は上記の実現可能な方式と結合し、第２の態様の他の実現可能な方式において、前記リソース又は信号指示情報を決定することは、
前記伝送されるＰＵＣＣＨのフォーマットに基づいて、前記リソース又は信号指示情報の取得方式を決定することと、
決定された前記取得方式に基づいて、前記リソース又は信号指示情報を取得することとを含む。
【００４９】
第２の態様又は上記の実現可能な方式と結合し、第２の態様の他の実現可能な方式において、異なるＰＵＣＣＨフォーマットを利用するＰＵＣＣＨが使用するリソース又は信号の取得方式が、異なる。
【００５０】
第３の態様は、上記の第１の態様もしくは第１の態様の任意の可能な実装、または上記の第２の態様もしくは第２の態様の任意の可能な実装における方法を実行するための端末を提供する。具体的には、端末は、上記の第１の態様もしくは第１の態様の任意の可能な実装、または上記の第２の態様もしくは第２の態様の任意の可能な実装における方法を実行するための機能モジュールを含む。
【００５１】
第４の態様は、プロセッサと、メモリと、送受信機とを含む端末を提供する。プロセッサ、メモリ、および送受信機は、内部接続経路を介して互いに通信し、制御信号および/またはデータ信号を通信し、端末に、第１の態様もしくは第１の態様の可能な実装、または第２の態様もしくは第２の態様の可能な実装のいずれかにおける方法を実行させる。
【００５２】
第５の態様は、上述の方法のいずれかまたは可能な実装のいずれかを実行するための命令を含むコンピュータプログラムを記憶するためのコンピュータ可読媒体を提供する。
【００５３】
第６の態様は、命令を含むコンピュータプログラム製品を提供し、コンピュータプログラム製品は、コンピュータ上で実行されると、コンピュータに、上述の方法のいずれかまたは可能な実装のいずれかを実行させる。
【図面の簡単な説明】
【００５４】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例における端末のブロック図である。
【図５】本願の実施例におけるシステムチップのブロック図である。
【図６】本願の実施例における通信デバイスのブロック図である。
【発明を実施するための形態】
【００５５】
以下、本発明の実施例について図面を参照して説明するが、本発明は、この実施の形態に限定されるものではなく、本発明の技術的思想に基づく各種の変形が可能である。本出願における実施形態に基づいて、当業者が創造的な労働をすることなく得られる全ての他の実施形態は、本出願の保護範囲に属する。
【００５６】
本願の実施例の技術的解決策は、例えば、全地球移動通信( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、又は将来の５Ｇシステム等の様々な通信システムに適用可能であることが理解されるべきである。
【００５７】
図１は本願の実施例に応用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に位置するＵＥなどの端末デバイスと通信し得る。任意選択で、このネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５８】
この無線通信システム１００は、ネットワークデバイス１１０のカバレージ内に位置する少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５９】
任意選択で、端末デバイス１２０間の端末直接接続( Ｄｅｖｉｃｅ ｔｏ Ｄｅｖｉｃｅ、Ｄ２Ｄ )通信が行われてもよい。
【００６０】
任意選択で、５Gシステム又はネットワークは、新たな無線( Ｎｅｗ Ｒａｄｉｏ、ＮＲ )システム又はネットワークと呼ばれることもある。
【００６１】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施形態は、これに限定されない。
【００６２】
任意選択で、この無線通信システム１００は、ネットワークコントローラ、モビリティ管理エンティティなどの他のネットワークエンティティをさらに含むことができ、本願の実施例はこれに限定されない。
【００６３】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００６４】
図２は、本願の実施例における無線通信方法２００の概略的なフローチャートである。この方法２００は、任意選択で、図１に示されるシステムに適用され得るが、これに限定されない。方法２００は、任意選択で、端末によって実行され得る。方法２００は、以下のの少なくとも一部を含む。
【００６５】
２１０において、端末がリソース又は信号指示情報を決定する。
【００６６】
任意選択で、当該リソース又は信号指示情報は、リソース、又は信号を示す。
【００６７】
２２０において、端末が当該リソース又は信号指示情報に基づいて、伝送されるＰＵＣＣＨと準共アドレスされる上り又は下り信号を決定する。
【００６８】
任意選択で、当該伝送されるＰＵＣＣＨと当該上り又は下り信号と準共アドレスされることは、当該伝送されるＰＵＣＣＨと当該上り又は下り信号とが空間に対してパラメータ準共アドレスを受信することを含む。
【００６９】
なお、前記伝送されるＰＵＣＣＨと上り又は下り信号が空間に対してパラメータ準共アドレスを受信することは、端末が、伝送されるＰＵＣＣＨを送信するために使用されるビームと、前記上りまたは下り信号を送信または受信するために使用されるビーム方向に近いまたは同じであることを示す。
【００７０】
なお、本願において準共アドレスが、空間に対してパラメータ準共アドレスを受信することを例として説明するが、本願の実施例がこれに限定されなく、例えば、本願の実施例の準共アドレスは、ドップラーシフト、ドップラースプレッド、時間遅延拡散、平均時間遅延、平均利得などの他の大きなスケールのパラメータに対する準共アドレスであってもよい。
【００７１】
任意選択で、当該リソース又は信号指示情報が信号を示す場合、端末が、当該リソース又は信号指示情報が示す信号を、当該伝送されるＰＵＣＣＨと準共アドレスされる当該上り又は下り信号として決定する。
【００７２】
任意選択で、当該リソース又は信号指示情報の信号は、当該伝送されるＰＵＣＣＨ送信の前に送信した信号であっても良い。
【００７３】
任意選択で、当該リソース又は信号指示情報がリソースを示す場合、端末が当該リソース又は信号指示情報が示すリソースに伝送される信号を、当該伝送されるＰＵＣＣＨと準共アドレスされる当該上り又は下り信号として決定する。
【００７４】
任意選択で、当該リソース又は信号指示情報が示すリソースに伝送される信号が、当該伝送されるＰＵＣＣＨの送信の前に送信した信号であっても良い。
【００７５】
２３０において、端末が当該伝送されるＰＵＣＣＨと当該上り又は下り信号との準共アドレス関係を利用して、当該伝送されるＰＵＣＣＨを送信する。
【００７６】
任意選択で、端末が当該伝送されるＰＵＣＣＨと当該上り又は下り信号との準共アドレス関係を利用して、当該伝送されるＰＵＣＣＨの送信ビームを決定し、決定された当該送信ビームを利用して、当該伝送されるＰＵＣＣＨを送信する。
【００７７】
具体的に、端末は、当該伝送されるＰＵＣＣＨと当該上り又は下り信号が空間に対するパラメータの準共アドレス関係を利用して、当該伝送されるＰＵＣＣＨの送信ビームを決定しても良い。
【００７８】
一方式において、当該伝送されるＰＵＣＣＨと準共アドレスされる信号が上り信号である場合、当該上り信号の送信ビームを、当該伝送されるＰＵＣＣＨの送信ビームとして決定し、当該上り信号の送信ビームの方向に近い送信ビームを、当該伝送されるＰＵＣＣＨの送信ビームとして決定しても良い。
【００７９】
他の方式において、当該伝送されるＰＵＣＣＨと準共アドレスされる信号が下り信号である場合、当該下り信号の受信ビームを、当該伝送されるＰＵＣＣＨの送信ビームとして、又は、当該下り信号の受信ビーム方向に近い受信ビームを、当該伝送されるＰＵＣＣＨの送信ビームとして決定しても良い。
【００８０】
任意選択で、端末がＰＵＣＣＨを異なる時間に送信するために使用する最適なビームが異なる場合があるので、端末はリソース又は信号指示情報をリアルタイムに取得することができる。
【００８１】
したがって、本願の実施例において、端末は、リソースまたは信号指示情報によって指示されるリソースまたは信号に基づいて、伝送されるＰＵＣＣＨと準共アドレスされる第１の上り信号および下り信号を取得し、伝送されるＰＵＣＣＨと、当該上り信号または下り信号との準共アドレス関係を用いて、伝送されるＰＵＣＣＨを送信することができることで、伝送されるＰＵＣＣＨが盲目的に送信されることを回避することができ、伝送されるＰＵＣＣＨの適切な送信を実現し、通信性能を向上させることができる。
【００８２】
さらに、端末は、リソースまたは信号指示情報によって指示されるリソース上で送信される信号の送信または受信ビーム、またはリソースまたは信号指示情報によって指示される信号の送信または受信ビームに従って、伝送されるＰＵＣＣＨの送信ビームの選択を行うことができ、伝送されるＰＵＣＣＨにに対してより適切な送信ビームを選択し、より大きなビームフォーミングゲインを実現し、通信性能をさらに向上させることができる。
【００８３】
図３は本願の実施例における無線通信方法３００のフローチャートである。当該方法３００は、以下の少なくとも一部を含む。
【００８４】
３１０において、端末がリソース又は信号指示情報を決定する。
【００８５】
任意選択で、当該リソース又は信号指示情報は、リソース、又は信号を示す。
【００８６】
３２０において、端末が当該リソース又は信号指示情報に基づいて、伝送されるＰＵＣＣＨの送信ビームを決定する。
【００８７】
任意選択で、当該リソース又は信号指示情報が示す第１の信号の受信又は送信ビームに基づいて、端末が当該伝送されるＰＵＣＣＨの送信ビームを決定する。
【００８８】
任意選択で、当該リソース又は信号指示情報が示す第１の信号は、ＰＵＣＣＨの送信の前に送信した信号であっても良い。
【００８９】
任意選択で、当該第１の信号が上り信号である場合、端末が当該第１の信号の送信ビームを、当該伝送されるＰＵＣＣＨの送信ビームとして決定し、又は、当該第１の信号の送信ビーム方向に近い送信ビームを、当該伝送されるＰＵＣＣＨの送信ビームとして決定する。
【００９０】
任意選択で、当該第１の信号が下り信号である場合、端末が当該第１の信号の受信ビームを、当該伝送されるＰＵＣＣＨの送信ビームとして決定し、又は、当該第１の信号の受信ビーム方向に近い受信ビームを、当該伝送されるＰＵＣＣＨ的送信ビームとして決定する。
【００９１】
任意選択で、当該リソース又は信号指示情報が示すリソースに伝送される第２の信号の受信又は送信ビームに基づいて、端末が当該伝送されるＰＵＣＣＨの送信ビームを決定する。
【００９２】
任意選択で、当該第１のリソース又は信号が示すリソースに伝送される第２の信号は、ＰＵＣＣＨの送信の前に送信した信号であっても良い。
【００９３】
任意選択で、当該第２の信号が上り信号である場合、端末が当該第２の信号の送信ビームを、当該伝送されるＰＵＣＣＨの送信ビームとして決定し、又は、当該第２の信号の送信ビーム方向に近い送信ビームを、当該伝送されるＰＵＣＣＨ的送信ビームとして決定する。
【００９４】
任意選択で、当該第２の信号が下り信号である場合、当該第２の信号の受信ビームを、当該伝送されるＰＵＣＣＨの送信ビームとして決定し、又は、当該第２の信号の受信ビーム方向に近い受信ビームを、当該伝送されるＰＵＣＣＨの受信ビームとして決定する。
【００９５】
３３０において、決定された当該伝送されるＰＵＣＣＨの送信ビームを利用して、端末が当該伝送されるＰＵＣＣＨを送信する。
【００９６】
したがって、端末は、リソースまたは信号指示情報によって、伝送されるＰＵＣＣＨの送信ビームの選択を行うことができ、伝送されるＰＵＣＣＨに対してより適切な送信ビームを選択し、より大きなビームフォーミングゲインを実現し、通信性能をさらに向上させることができる
方法２００及び方法３００は、それぞれ上記で簡単に説明され、以下に説明されることは、同時に方法２００及び３００に適用される。
【００９７】
任意選択で、当該リソース又は信号指示情報は、サウンディング参照信号（Ｓｏｕｎｄｉｎｇ Ｒｅｆｅｒｅｎｃｅ Ｓｉｇｎａｌ、ＳＲＳ）リソース指示情報であり、少なくとも１つのＳＲＳリソースのうちの１つのＳＲＳリソースを示す。
【００９８】
具体的には、端末は、少なくとも１つのＳＲＳリソースでそれぞれＳＲＳを送信し、ネットワークデバイスは、端末から送信されたＳＲＳを受信した後、この少なくとも１つのＳＲＳリソースから１つのＳＲＳリソース(例えば、搬送されたＳＲＳの信号品質が最も良いＳＲＳリソース)を選択し、ＳＲＳリソース指示情報によって端末に選択されたＳＲＳを指示することができる。
【００９９】
任意選択で、端末が複数のＳＲＳリソースにおいてＳＲＳを送信する場合、異なるＳＲＳリソースの送信ビームが異なっても良い。
【０１００】
任意選択で、少なくとも１つのＳＲＳリソースの各ＳＲＳリソースは、それぞれ、他のＳＲＳリソースと比較して独立した構成パラメータ、例えば、独立したＳＲＳ送信周期、独立したＳＲＳトリガーモード、独立した送信ビーム、またはＳＲＳの送信がトリガーされるときの独立したＳＲＳ送信回数などを有することができる。
【０１０１】
任意選択で、端末は、予め設定された情報に基づいて、ＳＲＳを送信する必要があるＳＲＳリソースを決定しても良い。
【０１０２】
任意選択で、当該リソース又は信号指示情報は、チャネル状態情報参照信号（Ｃｈａｎｎｅｌ Ｓｔａｔｅ Ｉｎｆｏｒｍａｔｉｏｎ Ｒｅｆｅｒｅｎｃｅ Ｉｎｆｏｒｍａｔｉｏｎ、ＣＳＩ−ＲＳ）リソース指示情報であり、少なくとも１つのＣＳＩ−ＲＳリソースのうちの１つのＣＳＩ−ＲＳリソースを示す。
【０１０３】
具体的に、ネットワークデバイスは、少なくとも１つのＣＳＩ−ＲＳリソース上でそれぞれＣＳＩ−ＲＳを送信し、端末は、少なくとも一つのＣＳＩ−ＲＳリソースの中で各ＣＳＩ−ＲＳリソースによって送信されたＣＳＩ−ＲＳを受信しそれぞれチャネル状態情報( Ｃｈａｎｎｅｌ Ｓｔａｔｅ Ｉｎｆｏｒｍａｔｉｏｎ、ＣＳＩ )を取得してネットワークデバイスに送信し、ネットワークデバイスは、各ＣＳＩ−ＲＳリソースに対応するＣＳＩに基づいて少なくとも１つのＣＳＩ−ＲＳリソース上から１つのＣＳＩ−ＲＳリソース(例えば、チャネル品質が最良のＣＳＩ−ＲＳリソース)を選択して、端末にＣＳＩ−ＲＳリソース指示情報によって指示することができる。
【０１０４】
任意選択で、端末は、異なるＣＳＩ−ＲＳリソースでＣＳＩ−ＲＳを受信する時に、使用する受信ビームが異なっても良い。
【０１０５】
任意選択で、少なくとも１つのＣＳＩ−ＲＳリソースの各ＣＳＩ−ＲＳリソースは、他のＣＳＩ−ＲＳリソースと比較して、それぞれ独立した構成パラメータ、例えば独立したＣＳＩ−ＲＳ送信周期などを有することができる。
【０１０６】
任意選択で、端末は、予め設定された情報に基づいて、ＣＳＩ−ＲＳを受信する必要があるＣＳＩ−ＲＳリソースを決定しても良い。
【０１０７】
任意選択で、当該リソース又は信号指示情報は、同期信号ブロック指示情報であり、少なくとも１つの同期信号ブロックのうちの１つの同期信号ブロックを示す。
【０１０８】
任意選択で、ネットワークデバイスは、少なくとも１つの同期信号ブロックからランダムに１つの同期信号ブロックを選択してもよいし、端末にとって同期性能が最も良い同期信号ブロックを選択して、同期信号ブロック指示情報により端末に通知してもよい。
【０１０９】
任意選択で、端末は、予め設定された情報に基づいて、同期を行う同期信号ブロックを選択することを決定してもよい。
【０１１０】
任意選択で、端末は、ビーム相互性が利用可能であるか否かに応じて、リソースまたは信号指示情報のタイプを決定し、そのタイプ有するリソース又は信号指示情報を決定する。
【０１１１】
任意選択で、リソースまたは信号指示情報のタイプは、指示されたリソースのタイプまたは信号のタイプの違いによって区別され得る。例えば、ＣＳＩ−ＲＳリソース指示情報、ＳＲＳリソース指示情報、または同期信号ブロック指示情報の３タイプが含まれる。
【０１１２】
一方式において、当該ビーム相互性が利用可能である場合、端末は、当該リソース又は信号指示情報のタイプをＣＳＩ−ＲＳリソース指示情報、又は、同期信号ブロック指示情報として決定し、ここで、当該ＣＳＩ−ＲＳリソース指示情報は、少なくとも１つのＣＳＩ−ＲＳリソースのうちの１つのＣＳＩ−ＲＳリソースを示し、当該同期信号ブロック指示情報は、少なくとも１つの同期信号ブロックのうちの１つの同期信号ブロックを示し、
一方式において、当該端末のビーム相互性が利用不可である場合、当該リソース又は信号指示情報のタイプをＳＲＳリソース指示情報として決定し、当該ＳＲＳリソース指示情報少なくとも１つのＳＲＳ中のうちの１つのＳＲＳリソースを示す。
【０１１３】
以上、端末が、端末のビーム相互性が利用可能であるか否かに応じてリソース又は信号指示情報のタイプを決定できることを説明した。
【０１１４】
本発明の実施例において、ネットワークデバイスは、端末のビーム相互性が端末にどのタイプのリソースまたは信号指示情報を採用するかを示すのに利用可能であるかに応じて、伝送されるＰＵＣＣＨと準共アドレスされる上り又は下り信号を決定することができ、これにより、端末は、ネットワークによって示されるリソースまたは信号指示情報のタイプを用いてリソースまたは信号指示情報を取得することができる。ここで、ネットワークデバイスが使用する端末のビーム相互性は、端末からネットワークデバイスに通知されてもよい。
【０１１５】
以上、リソース又は信号指示情報のタイプに関する内容を説明したが、以下では、端末がリソース又は信号指示情報を取得する方法について説明する。ここで、以下で取得されるリソース又は信号指示情報は、上記のリソース又は信号指示情報のいずれかのタイプであってもよい。
【０１１６】
方式１）、端末が当該伝送されるＰＵＣＣＨのスケジューリングに対応する物理下り共有チャンネルＰＤＳＣＨの下り制御情報ＤＣＩから、当該リソース又は信号指示情報を取得する。
【０１１７】
任意選択で、当該伝送されるＰＵＣＣＨに下り伝送の肯定応答ＡＣＫコマンド又は否定応答ＡＣＫコマンドが伝送され、当該ＰＤＳＣＨに当該下り伝送が搬送される。
【０１１８】
任意選択で、当該リソース又は信号指示情報に基づいて、端末が当該ＤＣＩに含まれる、伝送されるＰＵＣＣＨのための送信電力制御（Ｔｒａｎｓｍｉｔ Ｐｏｗｅｒ Ｃｏｎｔｒｏｌ、ＴＰＣ）コマンドに対応する電量調整値の大きさを決定する。
【０１１９】
具体的には、リソース又は信号指示情報の異なる値は、ＴＰＣコマンドと電力調整値との対応関係を特定する異なるＴＰＣマッピング表に対応し得る。この電力調整値は、絶対値(つまり調整が必要な電力値)であってもよいし、積算値(つまり本来の電力値に加えて調整が必要な値)であってもよい。
【０１２０】
任意選択で、端末が当該リソース又は信号指示情報に基づいて、当該ＤＣＩに含まれる、伝送されるＰＵＣＣＨのためのＴＰＣコマンドが属する閉ループ電力制御プロセスを決定する。
【０１２１】
具体的に、リソースまたは信号指示情報は、伝送されるＰＵＣＣＨの送信ビームを決定するために使用されるだけでなく、現在の閉ループ電力制御プロセスを決定するために使用され得る。端末は、このリソース又は信号指示情報に基づいて、前記ＴＰＣコマンドに対応する電力調整値がどの閉ループ電力制御プロセスで累算されているかを特定する。リソース又は信号指示情報の値と閉ループ電力制御プロセスとの対応関係は、端末に予め設定されていてもよいし、ネットワークデバイスによって端末に設定されていてもよい。
【０１２２】
方式２）、最近に受信した、物理上り共有チャンネル（Ｐｈｙｓｉｃａｌ Ｕｐｌｉｎｋ Ｓｈａｒｅｄ Ｃｈａｎｎｅｌ、ＰＵＳＣＨ）のスケジューリングのためのＤＣＩから、端末が当該リソース又は信号指示情報を取得する。
【０１２３】
そのような実装例では、この送信されるＰＵＣＣＨは、下り伝送のためのＡＣＫコマンドまたはＮＡＣＫコマンドを伝送するために、またはＣＳＩを伝送するために使用され得る。
【０１２４】
方式３）、ＤＣＩから、当該リソース又は信号指示情報を取得し、当該ＤＣＩは、ＰＵＣＣＨのためのＴＰＣコマンド及びＰＵＣＣＨのためのリソース又は信号指示情報のみを含み、当該第１のＤＣＩは、当該伝送されるＰＵＣＣＨのためのＴＰＣコマンド及び当該伝送されるＰＵＣＣＨのためのリソース又は信号指示情報を含む。
【０１２５】
当該実現可能な方式において、当該伝送されるＰＵＣＣＨには下り伝送のＡＣＫコマンド、又はＮＡＣＫコマンド、又はＣＳＩが伝送されても良い。
【０１２６】
具体的に、伝送されるＰＵＣＣＨのリソース又は信号指示情報は、伝送されるＰＵＣＣＨのＴＰＣコマンドとともに示しても良い。
【０１２７】
例えば、第１のＤＣＩには、それぞれが１つのＰＵＣＣＨのＴＰＣコマンドと、当該ＰＵＣＣＨのリソースまたは信号指示情報とを含むＮ個の情報フィールドが含まれ、端末は、上位レイヤシグナリングを介して、伝送されるＰＵＣＣＨに対応する情報フィールドの当該ＤＣＩの全ての情報フィールドにおけるインデックスを取得する。
【０１２８】
方式４）、上位レイヤシグナリングから、当該リソース又は信号指示情報を取得する。
【０１２９】
この実現可能な方式において、当該伝送されるＰＵＣＣＨには、下り伝送のＡＣＫコマンド、又はＮＡＣＫコマンド、又はＣＳＩが伝送されても良い。
【０１３０】
方式５）、当該伝送されるＰＵＣＣＨが使用する電力制御プロセスに基づいて、当該リソース又は信号指示情報を決定する。
【０１３１】
この実現可能な方式において、当該伝送されるＰＵＣＣＨには、下り伝送のＡＣＫコマンド、又はＮＡＣＫコマンド、又はＣＳＩが伝送されても良い。
【０１３２】
具体的には、ネットワークデバイスは、端末に対して複数の電力制御プロセスを構成し、端末が送信するＰＵＣＣＨのための電力制御プロセスを指示する。端末は、使用されるプロセスに応じて、リソース又は信号指示情報を決定し、ここで、プロセスと少なくとも１つのリソースまたはシグナル表示情報(すなわち、少なくとも１つの情報の値)との対応関係が予め端末に設定され得るか、またはネットワークデバイスによって端末に設定されてもよい。
【０１３３】
方式６）、第１のＣＳＩに対応するＣＳＩ報告構成から、端末が当該リソース又は信号指示情報を取得し、当該伝送されるＰＵＣＣＨは、当該第１のＣＳＩの伝送に使用される。
【０１３４】
この実現可能な方式において、当該伝送されるＰＵＣＣＨには、ＣＳＩが伝送されても良い。
【０１３５】
以上の複数のリソースや信号指示情報の取得方法から分かるように、ネットワークデバイスからの情報によりリソースや信号指示情報を取得することで、ネットワークデバイスは端末がＰＵＣＣＨを送信する際に用いるビームを柔軟に調整することができる。
【０１３６】
上記では、複数のリソースまたは信号指示情報の取得方式が説明されているが、具体的にどの取得方式が採用されるかは、伝送されるＰＵＣＣＨのＰＵＣＣＨフォーマットに応じて、当該第１のリソースまたは信号の取得方式が決定されてもよく、決定された当該取得方式に従って当該リソース又は信号指示情報を取得する。
【０１３７】
例えば、ＣＳＩを伝送するために使用可能なＰＵＣＣＨフォーマットに対して、方式２)、３)、４)、５)または６ )を用いてリソースまたは信号指示情報を取得することができる。
【０１３８】
例えば、ＮＡＣＫコマンドまたはＡＣＫコマンドを伝送するために使用され得るＰＵＣＣＨフォーマットについて、方式１)、２)、３)、４)、または５)を利用して、リソースまたは信号指示情報を取得することができる。
【０１３９】
任意選択で、異なるＰＵＣＣＨフォーマットを利用するＰＵＣＣＨが使用するリソース又は信号の取得方式が、異なる。ここで、ＮＡＣＫコマンドまたはＡＣＫコマンドが送信されるＰＵＣＣＨのフォーマットは、ＣＳＩが送信されるＰＵＣＣＨのフォーマットと異なる取得方式を採用することができる。
【０１４０】
任意選択で、異なるＰＵＣＣＨフォーマットに対しても、同様の方法でリソース又は信号指示情報を取得することができる。例えば、リソースや信号指示情報は、いずれも上位レイヤシグナリングを用いて取得される。
【０１４１】
このとき、異なるＰＵＣＣＨフォーマットに対応するリソース又は信号指示情報は、独立したシグナリング又は同一シグナリングの異なる情報フィールドを用いて指示されてもよい。
【０１４２】
したがって、本発明の実施例では、端末はリソース又は信号指示情報に基づいて、伝送されるＰＵＣＣＨの送信をどのように行うかを決定する(例えば、送信ビームを決定する)ことにより、伝送されるＰＵＣＣＨをより合理的に送信することができ、通信性能を向上させることができる。
【０１４３】
図４は本願の実施例における端末４００のブロック図である。図４に示すように、当該端末４００は、処理ユニット４１０及び通信ユニット４２０を含む。
【０１４４】
任意選択で、当該処理ユニット４１０は、リソース又は信号指示情報を決定し、当該リソース又は信号指示情報に基づいて、伝送されるＰＵＣＣＨと準共アドレスされる上り又は下り信号を決定するように構成され、当該通信ユニット４２０は、当該伝送されるＰＵＣＣＨと当該上り又は下り信号との準共アドレス関係を利用して、当該伝送されるＰＵＣＣＨを送信するように構成される。
【０１４５】
任意選択で、当該処理ユニット４１０は、リソース又は信号指示情報を決定し、当該リソース又は信号指示情報に基づいて、伝送されるＰＵＣＣＨの送信ビームを決定するように構成され、当該通信ユニット４２０は、決定された当該伝送されるＰＵＣＣＨの送信ビームを利用して、当該伝送されるＰＵＣＣＨを送信するように構成される。
【０１４６】
端末４００は、方法の実施例における端末に対応することができ、方法の実施形態における端末によって実施される対応する動作は、簡潔のためにここでは説明を省略する。
【０１４７】
図５は、本願の実施例に係るシステムチップ５００の概略構成図である。図５のシステムチップ５００は、入力インターフェース５０１、出力インターフェース５０２、メモリ６０４内のコードを実行するプロセッサ５０３、及びメモリ５０４を含み、それらは内部通信接続線を介して接続することができる。
【０１４８】
任意選択で、コードが実行されると、プロセッサ５０３は、方法の実施例において端末によって実行される方法を実施する。簡潔にするために、ここでは説明を省略する。
【０１４９】
図６は、本願の実施例による通信デバイス６００の概略ブロック図である。図６に示すように、通信デバイス６００は、プロセッサ６１０と、メモリ６２０とを有する。ここで、当該メモリ６２０はプログラムコードを記憶してもよく、当該プロセッサ６１０は、当該メモリ６２０に記憶されたプログラムコードを実行してもよい。
【０１５０】
任意選択で、図６に示すように、通信デバイス６００は、プロセッサ６１０が外部と通信するように制御することができる送受信機６３０を含んでもよい。
【０１５１】
プロセッサ６１０は、メモリ６２０に格納されたプログラムコードを呼び出して、方法の実施形態における端末の対応する動作を実行してもよく、簡潔にするために、ここでは詳しい説明を省略する。
【０１５２】
本願の実施例のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５３】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ，ＰＲＯＭ )、消去可能プログラマブルリードオンリーメモリ( Ｅｒａｓａｂｌｅ ＰＲＯＭ，ＥＰＲＯＭ )、電気的消去可能プログラマブルリードオンリーメモリ( Ｅｌｅｃｔｒｉｃａｌｌｙ ＥＰＲＯＭ，ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ，ＳＲＡＭ )、ダイナミックランダムアクセスメモリ( Ｄｙｎａｍｉｃ ＲＡＭ，ＤＲＡＭ )、シンクロナスダイナミックランダムアクセスメモリ( Ｓｙｎｃｈｒｏｎｏｕｓ ＤＲＡＭ，ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ，ＤＤＲ ＳＤＲＡＭ )、エンハンスメント型シンクロナスダイナミックランダムアクセスメモリ( Ｅｎｈａｎｃｅｄ ＳＤＲＡＭ，ＥＳＤＲＡＭ )、シンクロナス接続ダイナミックランダムアクセスメモリ( Ｓｙｎｃｈｌｉｎｋ ＤＲＡＭ，ＳＬＤＲＡＭ )、及びダイレクトメモリバスランダムアクセスメモリ( Ｄｉｒｅｃｔ  Ｒａｍｂｕｓ  ＲＡＭ，ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５４】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５５】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１５６】
本願で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１５７】
また、本発明の各実施例における各機能部は、１つの処理部に集積されてもよいし、各部は、物理的に別個に存在してもよいし、２つ以上の部が１つの部に集積されてもよい。
【０１５８】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ，ＲＯＭ、ＲＡＭ、磁気ディスク、光ディスク等のプログラムコードを記憶できる種々の媒体を用いることができる。
【０１５９】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020537842.tif 000003
【図２】
2020537842.tif 000004
【図３】
2020537842.tif 000005
【図４】
2020537842.tif 000006
【図５】
2020537842.tif 000007
【図６】
2020537842.tif 000008
【手続補正書】
【提出日】令和2年8月24日(2020.8.24)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、無線通信方法及びデバイスに関する。
【背景技術】
【０００２】
ロングタームエボリューションシステム( Ｌｏｎｇ Ｔｉｍｅ Ｅｖｏｌｕｔｉｏｎ、ＬＴＥ )システムにおいて、端末は、ネットワークデバイスに物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )を送信し、ＰＵＣＣＨは、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )伝送される下り送信の肯定応答( Ａｃｋｎｏｗｌｅｄｇｅ、ＡＣＫ )または否定応答( Ｎｏｎ−Ａｃｋｎｏｗｌｅｄｇｅ、ＮＡＣＫ )を搬送し、または下り状態情報( Ｃｈａｎｎｅｌ Ｓｔａｔｅ Ｉｎｆｏｒｍａｔｉｏｎ、ＣＳＩ )を搬送し得る。
【０００３】
ＮＲ( Ｎｅｗ Ｒａｄｉｏ)システムでは、通信性能に対する要求が高い。
【０００４】
したがって、ＮＲシステムにおいて、ＰＵＣＣＨの伝送に関して、どのように通信性能を向上させるかが、解決すべき課題である。
【発明の概要】
【０００５】
本願の実施例は、ＰＵＣＣＨの伝送に関して通信性能を向上させることができる無線通信方法及びデバイスを提供する。
【０００６】
第１の態様は、無線通信方法を提供し、
リソース又は信号指示情報を決定することと、
前記リソース又は信号指示情報に基づいて、伝送される物理上り制御チャネルＰＵＣＣＨと準共アドレスされる上り又は下り信号を決定することと、
前記伝送されるＰＵＣＣＨと前記上り又は下り信号との準共アドレス関係を利用して、前記伝送されるＰＵＣＣＨを送信することとを含む。
【０００７】
したがって、端末は、リソースまたは信号指示情報によって指示されるリソースまたは信号に基づいて、伝送されるＰＵＣＣＨと準共アドレスされる第１の上り信号および下り信号を取得し、伝送されるＰＵＣＣＨと、当該上り信号または下り信号との準共アドレス関係を用いて、伝送されるＰＵＣＣＨを送信することができることで、伝送されるＰＵＣＣＨが盲目的に送信されることを回避することができ、伝送されるＰＵＣＣＨの適切な送信を実現し、通信性能を向上させることができる。
【０００８】
第１の態様と結合し、第１の態様の実現可能な方式において、前記伝送されるＰＵＣＣＨと前記上り又は下り信号と準共アドレスされることは、前記伝送されるＰＵＣＣＨと前記上り又は下り信号とが、空間に対してパラメータ準共アドレスを受信することを含む。
【０００９】
第１の態様又は上記の実現可能な方式と結合し、第１の態様の他の実現可能な方式において、前記伝送されるＰＵＣＣＨと前記上り又は下り信号との準共アドレス関係を利用して、前記伝送されるＰＵＣＣＨを送信することは、
前記伝送されるＰＵＣＣＨと前記上り又は下り信号との準共アドレス関係を利用して、前記伝送されるＰＵＣＣＨの送信ビームを決定することと、
決定された前記送信ビームを利用して、前記伝送されるＰＵＣＣＨを送信することとを含む。
【００１０】
したがって、端末は、リソースまたは信号指示情報によって指示されるリソース上で送信される信号の送信または受信ビーム、またはリソースまたは信号指示情報によって指示される信号の送信または受信ビームに従って、伝送されるＰＵＣＣＨの送信ビームの選択を行うことができ、伝送されるＰＵＣＣＨにに対してより適切な送信ビームを選択し、より大きなビームフォーミングゲインを実現し、通信性能をさらに向上させることができる。
【００１１】
第１の態様又は上記の実現可能な方式と結合し、第１の態様の他の実現可能な方式において、前記伝送されるＰＵＣＣＨと前記上り又は下り信号との準共アドレス関係を利用して、前記伝送されるＰＵＣＣＨの送信ビームを決定することは、
前記伝送されるＰＵＣＣＨと準共アドレスされる信号が上り信号である場合、前記上り信号の送信ビームを、前記伝送されるＰＵＣＣＨの送信ビームとして決定すること、又は、
前記伝送されるＰＵＣＣＨと準共アドレスされる信号が下り信号である場合、前記下り信号の受信ビームを、前記伝送されるＰＵＣＣＨの送信ビームとして決定することを含む。
【００１２】
第１の態様又は上記の実現可能な方式と結合し、第１の態様の他の実現可能な方式において、前記リソース又は信号指示情報に基づいて、伝送されるＰＵＣＣＨと準共アドレスされる上り又は下り信号を決定することは、
前記リソース又は信号指示情報が示す信号を、前記伝送されるＰＵＣＣＨと準共アドレスされる前記上り又は下り信号として決定すること、又は、
前記リソース又は信号指示情報が示すリソースに伝送される信号を、前記伝送されるＰＵＣＣＨと準共アドレスされる前記上り又は下り信号として決定することを含む。
【００１３】
第１の態様又は上記の実現可能な方式と結合し、第１の態様の他の実現可能な方式において、前記リソース又は信号指示情報は、サウンディング参照信号ＳＲＳリソース指示情報であり、少なくとも１つのＳＲＳリソースのうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す。
【００１４】
第１の態様又は上記の実現可能な方式と結合し、第１の態様の他の実現可能な方式において、前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む。
【００１５】
第１の態様又は上記の実現可能な方式と結合し、第１の態様の他の実現可能な方式において、前記端末のビーム相互性が利用可能であるかどうかに応じて、前記リソース又は信号指示情報的タイプを決定することは、
前記ビーム相互性が利用可能である場合、前記リソース又は信号指示情報のタイプをＣＳＩ−ＲＳリソース指示情報又は同期信号ブロック指示情報として決定し、ここで、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む。
【００１６】
第１の態様又は上記の実現可能な方式と結合し、第１の態様の他の実現可能な方式において、前記リソース又は信号指示情報を決定することは、
前記伝送されるＰＵＣＣＨに対応する物理下り共有チャンネルＰＤＳＣＨをスケジューリングする下り制御情報ＤＣＩから、前記リソース又は信号指示情報を取得することを含む。
【００１７】
第１の態様又は上記の実現可能な方式と結合し、第１の態様の他の実現可能な方式において、前記伝送されるＰＵＣＣＨに下り伝送の肯定応答ＡＣＫコマンド又は否定応答ＡＣＫコマンドが含まれ、前記ＰＤＳＣＨに前記下り伝送が搬送される。
【００１８】
第１の態様又は上記の実現可能な方式と結合し、第１の態様の他の実現可能な方式において、前記方法は、さらに、
前記リソース又は信号指示情報に基づいて、前記ＤＣＩに含まれる、伝送されるＰＵＣＣＨのための送信電力制御ＴＰＣコマンドに対応する電力調整値の大きさを決定することを含む。
【００１９】
第１の態様又は上記の実現可能な方式と結合し、第１の態様の他の実現可能な方式において、前記方法は、さらに、
前記リソース又は信号指示情報に基づいて、前記ＤＣＩに含まれる、伝送されるＰＵＣＣＨのためのＴＰＣコマンドが属する閉ループ電力制御プロセスを決定することを含む。
【００２０】
第１の態様又は上記の実現可能な方式と結合し、第１の態様の他の実現可能な方式において、前記リソース又は信号指示情報を決定することは、
最近に受信した、物理上り共有チャンネルＰＵＳＣＨのスケジューリングのためのＤＣＩから、前記リソース又は信号指示情報を取得することを含む。
【００２１】
第１の態様又は上記の実現可能な方式と結合し、第１の態様の他の実現可能な方式において、前記第１のリソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨ伝送のためのリソース又は信号指示情報のみを含み、且つ、前記第１のＤＣＩが前記伝送されるＰＵＣＣＨのためのＴＰＣコマンド及び前記伝送されるＰＵＣＣＨのための前記リソース又は信号指示情報を含む。
【００２２】
第１の態様又は上記の実現可能な方式と結合し、第１の態様の他の実現可能な方式において、前記リソース又は信号指示情報を決定することは、
上位レイヤシグナリングから前記リソース又は信号指示情報を取得することを含む。
【００２３】
第１の態様又は上記の実現可能な方式と結合し、第１の態様の他の実現可能な方式において、前記リソース又は信号指示情報を決定することは、
前記伝送されるＰＵＣＣＨが使用する電力制御プロセスに基づいて、前記リソース又は信号指示情報を決定することを含む。
【００２４】
第１の態様又は上記の実現可能な方式と結合し、第１の態様の他の実現可能な方式において、前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される。
【００２５】
第１の態様又は上記の実現可能な方式と結合し、第１の態様の他の実現可能な方式において、前記伝送されるＰＵＣＣＨに下り伝送の肯定応答ＡＣＫコマンド又は否定応答ＡＣＫコマンドが含まれる。
【００２６】
第１の態様又は上記の実現可能な方式と結合し、第１の態様の他の実現可能な方式において、前記伝送されるＰＵＣＣＨにチャネル状態情報ＣＳＩが含まれる。
【００２７】
第１の態様又は上記の実現可能な方式と結合し、第１の態様の他の実現可能な方式において、前記リソース又は信号指示情報を決定することは、
前記伝送されるＰＵＣＣＨのＰＵＣＣＨフォーマットに基づいて、前記第１のリソース又は信号指示情報の取得方式を決定することと、
決定された前記取得方式に基づいて、前記リソース又は信号指示情報を取得することとを含む。
【００２８】
第１の態様又は上記の実現可能な方式と結合し、第１の態様の他の実現可能な方式において、異なるＰＵＣＣＨフォーマットを利用するＰＵＣＣＨが使用するリソース又は信号の取得方式が、異なる。
【００２９】
第２の態様は、無線通信方法を提供し、
リソース又は信号指示情報を決定することと、
前記リソース又は信号指示情報に基づいて、伝送される物理上り制御チャネルＰＵＣＣＨの送信ビームを決定することと、
確定された前記伝送されるＰＵＣＣＨの送信ビームを利用して、前記伝送されるＰＵＣＣＨを送信することとを含む。
【００３０】
したがって、端末は、リソースまたは信号指示情報によって、伝送されるＰＵＣＣＨの送信ビームの選択を行うことができ、伝送されるＰＵＣＣＨに対してより適切な送信ビームを選択し、より大きなビームフォーミングゲインを実現し、通信性能をさらに向上させることができる。
【００３１】
第２の態様と結合し、第２の態様の実現可能な方式において、前記リソース又は信号指示情報に基づいて、伝送される物理上り制御チャネルＰＵＣＣＨの送信ビームを決定することは、
前記リソース又は信号指示情報が示す第１の信号の受信又は送信ビームに基づいて、前記伝送されるＰＵＣＣＨの送信ビームを決定すること、又は、
前記リソース又は信号指示情報が示すリソースに伝送される第２の信号の受信又は送信ビームに基づいて、前記伝送されるＰＵＣＣＨの送信ビームを決定することを含む。
【００３２】
第２の態様又は上記の実現可能な方式と結合し、第２の態様の他の実現可能な方式において、前記リソース又は信号指示情報が示す第１の信号の受信又は送信ビームに基づいて、前記伝送されるＰＵＣＣＨの送信ビームを決定することは、
前記第１の信号が上り信号である場合、前記第１の信号の送信ビームを、前記伝送されるＰＵＣＣＨの送信ビームとして決定すること、又は、
前記第１の信号が下り信号である場合、前記第１の信号の受信ビームを、前記伝送されるＰＵＣＣＨの送信ビームとして決定することを含む。
【００３３】
第２の態様又は上記の実現可能な方式と結合し、第２の態様の他の実現可能な方式において、前記リソース又は信号指示情報が示すリソースに伝送される第２の信号の受信又は送信ビームに基づいて、前記伝送されるＰＵＣＣＨの送信ビームを決定することは、
前記第２の信号が上り信号である場合、前記第２の信号の送信ビームを、前記伝送されるＰＵＣＣＨの送信ビームとして決定すること、又は、
前記第２の信号が下り信号である場合、前記第２の信号の受信ビームを、前記伝送されるＰＵＣＣＨの送信ビームとして決定することを含む。
【００３４】
第２の態様又は上記の実現可能な方式と結合し、第２の態様の他の実現可能な方式において、前記リソース又は信号指示情報は、サウンディング参照信号ＳＲＳリソース指示情報であり、少なくとも１つのＳＲＳ中のうちの１つのＳＲＳリソースを示し、又は、
前記リソース又は信号指示情報は、チャネル状態情報参照信号ＣＳＩ−ＲＳリソース指示情報であり、少なくとも１つのＣＳＩ−ＲＳリソースのうちの１つのＣＳＩ−ＲＳリソースを示し、又は、
前記リソース又は信号指示情報は、同期信号ブロック指示情報であり、少なくとも１つの同期信号ブロックのうちの１つの同期信号ブロックを示す。
【００３５】
第２の態様又は上記の実現可能な方式と結合し、第２の態様の他の実現可能な方式において、前記リソース又は信号指示情報を決定することは、
ビーム相互性が利用可能であるかどうかに応じて、前記リソース又は信号指示情報のタイプを決定することと、
前記タイプを有する前記リソース又は信号指示情報を決定することとを含む。
【００３６】
第２の態様又は上記の実現可能な方式と結合し、第２の態様の他の実現可能な方式において、前記ビーム相互性が利用可能であるかどうかに応じて、前記リソース又は信号指示情報のタイプを決定することは、
前記ビーム相互性が利用可能である場合、前記リソース又は信号指示情報のタイプをＣＳＩ−ＲＳリソース指示情報又は同期信号ブロック指示情報として決定し、ここで、前記ＣＳＩ−ＲＳリソース指示情報が、少なくとも１つのＣＳＩ−ＲＳリソースのうちの１つのＣＳＩ−ＲＳリソースを示し、前記同期信号ブロック指示情報が、少なくとも１つの同期信号ブロックのうちの１つの同期信号ブロックを示し、
前記ビーム相互性が利用不可である場合、前記リソース又は信号指示情報のタイプをＳＲＳリソース指示情報として決定し、前記ＳＲＳリソース指示情報が、少なくとも１つのＳＲＳのうちの１つのＳＲＳリソースを示すことを含む。
【００３７】
第２の態様又は上記の実現可能な方式と結合し、第２の態様の他の実現可能な方式において、前記リソース又は信号指示情報を決定することは、
前記伝送されるＰＵＣＣＨに対応するＰＤＳＣＨをスケジューリングする下り制御情報ＤＣＩから、前記リソース又は信号指示情報を取得することを含む。
【００３８】
第２の態様又は上記の実現可能な方式と結合し、第２の態様の他の実現可能な方式において、前記伝送されるＰＵＣＣＨに下り伝送の肯定応答ＡＣＫコマンド又は否定応答ＡＣＫコマンドが含まれ、前記ＰＤＳＣＨに前記下り伝送が搬送される。
【００３９】
第２の態様又は上記の実現可能な方式と結合し、第２の態様の他の実現可能な方式において、前記方法は、さらに、
前記リソース又は信号指示情報に基づいて、前記ＤＣＩに含まれる、前記伝送されるＰＵＣＣＨ のための送信電力制御ＴＰＣコマンドに対応する電力調整値の大きさを決定することを含む。
【００４０】
第２の態様又は上記の実現可能な方式と結合し、第２の態様の他の実現可能な方式において、前記方法は、さらに、
前記リソース又は信号指示情報に基づいて、前記ＤＣＩに含まれる、前記伝送されるＰＵＣＣＨのためのＴＰＣコマンドが位置する閉ループ電力制御プロセスを決定することを含む。
【００４１】
第２の態様又は上記の実現可能な方式と結合し、第２の態様の他の実現可能な方式において、前記リソース又は信号指示情報を決定することは、
最近に受信した、物理上り共有チャンネルＰＵＳＣＨのスケジューリングのためのＤＣＩから、前記リソース又は信号指示情報を取得することを含む。
【００４２】
第２の態様又は上記の実現可能な方式と結合し、第２の態様の他の実現可能な方式において、前記リソース又は信号指示情報を決定することは、
ＤＣＩから前記リソース又は信号指示情報を取得することを含み、前記ＤＣＩがＰＵＣＣＨのためのＴＰＣコマンド及びＰＵＣＣＨのためのリソース又は信号指示情報のみを含み、且つ、前記ＤＣＩが前記伝送されるＰＵＣＣＨのＴＰＣコマンド及び前記伝送されるＰＵＣＣＨのための前記リソース又は信号指示情報を含む。
【００４３】
第２の態様又は上記の実現可能な方式と結合し、第２の態様の他の実現可能な方式において、前記リソース又は信号指示情報を決定することは、
上位レイヤシグナリングから前記リソース又は信号指示情報を取得することを含む。
【００４４】
第２の態様又は上記の実現可能な方式と結合し、第２の態様の他の実現可能な方式において、前記リソース又は信号指示情報を決定することは、
前記伝送されるＰＵＣＣＨが使用する電力制御プロセスに基づいて、前記リソース又は信号指示情報を決定することを含む。
【００４５】
第２の態様又は上記の実現可能な方式と結合し、第２の態様の他の実現可能な方式において、前記リソース又は信号指示情報を決定することは、
チャネル状態情報ＣＳＩに対応するＣＳＩ報告構成から、前記リソース又は信号指示情報を取得することを含み、前記伝送されるＰＵＣＣＨに前記ＣＳＩが伝送される。
【００４６】
第２の態様又は上記の実現可能な方式と結合し、第２の態様の他の実現可能な方式において、前記伝送されるＰＵＣＣＨに下り伝送の肯定応答ＡＣＫコマンド又は否定応答ＡＣＫコマンドが含まれる。
【００４７】
第２の態様又は上記の実現可能な方式と結合し、第２の態様の他の実現可能な方式において、前記伝送されるＰＵＣＣＨにチャネル状態情報ＣＳＩが含まれる。
【００４８】
第２の態様又は上記の実現可能な方式と結合し、第２の態様の他の実現可能な方式において、前記リソース又は信号指示情報を決定することは、
前記伝送されるＰＵＣＣＨのフォーマットに基づいて、前記リソース又は信号指示情報の取得方式を決定することと、
決定された前記取得方式に基づいて、前記リソース又は信号指示情報を取得することとを含む。
【００４９】
第２の態様又は上記の実現可能な方式と結合し、第２の態様の他の実現可能な方式において、異なるＰＵＣＣＨフォーマットを利用するＰＵＣＣＨが使用するリソース又は信号の取得方式が、異なる。
【００５０】
第３の態様は、上記の第１の態様もしくは第１の態様の任意の可能な実装、または上記の第２の態様もしくは第２の態様の任意の可能な実装における方法を実行するための端末を提供する。具体的には、端末は、上記の第１の態様もしくは第１の態様の任意の可能な実装、または上記の第２の態様もしくは第２の態様の任意の可能な実装における方法を実行するための機能モジュールを含む。
【００５１】
第４の態様は、プロセッサと、メモリと、送受信機とを含む端末を提供する。プロセッサ、メモリ、および送受信機は、内部接続経路を介して互いに通信し、制御信号および/またはデータ信号を通信し、端末に、第１の態様もしくは第１の態様の可能な実装、または第２の態様もしくは第２の態様の可能な実装のいずれかにおける方法を実行させる。
【００５２】
第５の態様は、上述の方法のいずれかまたは可能な実装のいずれかを実行するための命令を含むコンピュータプログラムを記憶するためのコンピュータ可読媒体を提供する。
【００５３】
第６の態様は、命令を含むコンピュータプログラム製品を提供し、コンピュータプログラム製品は、コンピュータ上で実行されると、コンピュータに、上述の方法のいずれかまたは可能な実装のいずれかを実行させる。
【図面の簡単な説明】
【００５４】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における無線通信方法のフローチャートである。
【図４】本願の実施例における端末のブロック図である。
【図５】本願の実施例におけるシステムチップのブロック図である。
【図６】本願の実施例における通信デバイスのブロック図である。
【発明を実施するための形態】
【００５５】
以下、本発明の実施例について図面を参照して説明するが、本発明は、この実施の形態に限定されるものではなく、本発明の技術的思想に基づく各種の変形が可能である。本出願における実施形態に基づいて、当業者が創造的な労働をすることなく得られる全ての他の実施形態は、本出願の保護範囲に属する。
【００５６】
本願の実施例の技術的解決策は、例えば、全地球移動通信( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、又は将来の５Ｇシステム等の様々な通信システムに適用可能であることが理解されるべきである。
【００５７】
図１は本願の実施例に応用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に位置するＵＥなどの端末デバイスと通信し得る。任意選択で、このネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５８】
この無線通信システム１００は、ネットワークデバイス１１０のカバレージ内に位置する少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５９】
任意選択で、端末デバイス１２０間の端末直接接続( Ｄｅｖｉｃｅ ｔｏ Ｄｅｖｉｃｅ、Ｄ２Ｄ )通信が行われてもよい。
【００６０】
任意選択で、５Gシステム又はネットワークは、新たな無線( Ｎｅｗ Ｒａｄｉｏ、ＮＲ )システム又はネットワークと呼ばれることもある。
【００６１】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施形態は、これに限定されない。
【００６２】
任意選択で、この無線通信システム１００は、ネットワークコントローラ、モビリティ管理エンティティなどの他のネットワークエンティティをさらに含むことができ、本願の実施例はこれに限定されない。
【００６３】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００６４】
図２は、本願の実施例における無線通信方法２００の概略的なフローチャートである。この方法２００は、任意選択で、図１に示されるシステムに適用され得るが、これに限定されない。方法２００は、任意選択で、端末によって実行され得る。方法２００は、以下のの少なくとも一部を含む。
【００６５】
２１０において、端末がリソース又は信号指示情報を決定する。
【００６６】
任意選択で、当該リソース又は信号指示情報は、リソース、又は信号を示す。
【００６７】
２２０において、端末が当該リソース又は信号指示情報に基づいて、伝送されるＰＵＣＣＨと準共アドレスされる上り又は下り信号を決定する。
【００６８】
任意選択で、当該伝送されるＰＵＣＣＨと当該上り又は下り信号と準共アドレスされることは、当該伝送されるＰＵＣＣＨと当該上り又は下り信号とが空間に対してパラメータ準共アドレスを受信することを含む。
【００６９】
なお、前記伝送されるＰＵＣＣＨと上り又は下り信号が空間に対してパラメータ準共アドレスを受信することは、端末が、伝送されるＰＵＣＣＨを送信するために使用されるビームと、前記上りまたは下り信号を送信または受信するために使用されるビーム方向に近いまたは同じであることを示す。
【００７０】
なお、本願において準共アドレスが、空間に対してパラメータ準共アドレスを受信することを例として説明するが、本願の実施例がこれに限定されなく、例えば、本願の実施例の準共アドレスは、ドップラーシフト、ドップラースプレッド、時間遅延拡散、平均時間遅延、平均利得などの他の大きなスケールのパラメータに対する準共アドレスであってもよい。
【００７１】
任意選択で、当該リソース又は信号指示情報が信号を示す場合、端末が、当該リソース又は信号指示情報が示す信号を、当該伝送されるＰＵＣＣＨと準共アドレスされる当該上り又は下り信号として決定する。
【００７２】
任意選択で、当該リソース又は信号指示情報の信号は、当該伝送されるＰＵＣＣＨ送信の前に送信した信号であっても良い。
【００７３】
任意選択で、当該リソース又は信号指示情報がリソースを示す場合、端末が当該リソース又は信号指示情報が示すリソースに伝送される信号を、当該伝送されるＰＵＣＣＨと準共アドレスされる当該上り又は下り信号として決定する。
【００７４】
任意選択で、当該リソース又は信号指示情報が示すリソースに伝送される信号が、当該伝送されるＰＵＣＣＨの送信の前に送信した信号であっても良い。
【００７５】
２３０において、端末が当該伝送されるＰＵＣＣＨと当該上り又は下り信号との準共アドレス関係を利用して、当該伝送されるＰＵＣＣＨを送信する。
【００７６】
任意選択で、端末が当該伝送されるＰＵＣＣＨと当該上り又は下り信号との準共アドレス関係を利用して、当該伝送されるＰＵＣＣＨの送信ビームを決定し、決定された当該送信ビームを利用して、当該伝送されるＰＵＣＣＨを送信する。
【００７７】
具体的に、端末は、当該伝送されるＰＵＣＣＨと当該上り又は下り信号が空間に対するパラメータの準共アドレス関係を利用して、当該伝送されるＰＵＣＣＨの送信ビームを決定しても良い。
【００７８】
一方式において、当該伝送されるＰＵＣＣＨと準共アドレスされる信号が上り信号である場合、当該上り信号の送信ビームを、当該伝送されるＰＵＣＣＨの送信ビームとして決定し、当該上り信号の送信ビームの方向に近い送信ビームを、当該伝送されるＰＵＣＣＨの送信ビームとして決定しても良い。
【００７９】
他の方式において、当該伝送されるＰＵＣＣＨと準共アドレスされる信号が下り信号である場合、当該下り信号の受信ビームを、当該伝送されるＰＵＣＣＨの送信ビームとして、又は、当該下り信号の受信ビーム方向に近い受信ビームを、当該伝送されるＰＵＣＣＨの送信ビームとして決定しても良い。
【００８０】
任意選択で、端末がＰＵＣＣＨを異なる時間に送信するために使用する最適なビームが異なる場合があるので、端末はリソース又は信号指示情報をリアルタイムに取得することができる。
【００８１】
したがって、本願の実施例において、端末は、リソースまたは信号指示情報によって指示されるリソースまたは信号に基づいて、伝送されるＰＵＣＣＨと準共アドレスされる第１の上り信号および下り信号を取得し、伝送されるＰＵＣＣＨと、当該上り信号または下り信号との準共アドレス関係を用いて、伝送されるＰＵＣＣＨを送信することができることで、伝送されるＰＵＣＣＨが盲目的に送信されることを回避することができ、伝送されるＰＵＣＣＨの適切な送信を実現し、通信性能を向上させることができる。
【００８２】
さらに、端末は、リソースまたは信号指示情報によって指示されるリソース上で送信される信号の送信または受信ビーム、またはリソースまたは信号指示情報によって指示される信号の送信または受信ビームに従って、伝送されるＰＵＣＣＨの送信ビームの選択を行うことができ、伝送されるＰＵＣＣＨにに対してより適切な送信ビームを選択し、より大きなビームフォーミングゲインを実現し、通信性能をさらに向上させることができる。
【００８３】
図３は本願の実施例における無線通信方法３００のフローチャートである。当該方法３００は、以下の少なくとも一部を含む。
【００８４】
３１０において、端末がリソース又は信号指示情報を決定する。
【００８５】
任意選択で、当該リソース又は信号指示情報は、リソース、又は信号を示す。
【００８６】
３２０において、端末が当該リソース又は信号指示情報に基づいて、伝送されるＰＵＣＣＨの送信ビームを決定する。
【００８７】
任意選択で、当該リソース又は信号指示情報が示す第１の信号の受信又は送信ビームに基づいて、端末が当該伝送されるＰＵＣＣＨの送信ビームを決定する。
【００８８】
任意選択で、当該リソース又は信号指示情報が示す第１の信号は、ＰＵＣＣＨの送信の前に送信した信号であっても良い。
【００８９】
任意選択で、当該第１の信号が上り信号である場合、端末が当該第１の信号の送信ビームを、当該伝送されるＰＵＣＣＨの送信ビームとして決定し、又は、当該第１の信号の送信ビーム方向に近い送信ビームを、当該伝送されるＰＵＣＣＨの送信ビームとして決定する。
【００９０】
任意選択で、当該第１の信号が下り信号である場合、端末が当該第１の信号の受信ビームを、当該伝送されるＰＵＣＣＨの送信ビームとして決定し、又は、当該第１の信号の受信ビーム方向に近い受信ビームを、当該伝送されるＰＵＣＣＨ的送信ビームとして決定する。
【００９１】
任意選択で、当該リソース又は信号指示情報が示すリソースに伝送される第２の信号の受信又は送信ビームに基づいて、端末が当該伝送されるＰＵＣＣＨの送信ビームを決定する。
【００９２】
任意選択で、当該第１のリソース又は信号が示すリソースに伝送される第２の信号は、ＰＵＣＣＨの送信の前に送信した信号であっても良い。
【００９３】
任意選択で、当該第２の信号が上り信号である場合、端末が当該第２の信号の送信ビームを、当該伝送されるＰＵＣＣＨの送信ビームとして決定し、又は、当該第２の信号の送信ビーム方向に近い送信ビームを、当該伝送されるＰＵＣＣＨ的送信ビームとして決定する。
【００９４】
任意選択で、当該第２の信号が下り信号である場合、当該第２の信号の受信ビームを、当該伝送されるＰＵＣＣＨの送信ビームとして決定し、又は、当該第２の信号の受信ビーム方向に近い受信ビームを、当該伝送されるＰＵＣＣＨの受信ビームとして決定する。
【００９５】
３３０において、決定された当該伝送されるＰＵＣＣＨの送信ビームを利用して、端末が当該伝送されるＰＵＣＣＨを送信する。
【００９６】
したがって、端末は、リソースまたは信号指示情報によって、伝送されるＰＵＣＣＨの送信ビームの選択を行うことができ、伝送されるＰＵＣＣＨに対してより適切な送信ビームを選択し、より大きなビームフォーミングゲインを実現し、通信性能をさらに向上させることができる
方法２００及び方法３００は、それぞれ上記で簡単に説明され、以下に説明されることは、同時に方法２００及び３００に適用される。
【００９７】
任意選択で、当該リソース又は信号指示情報は、サウンディング参照信号（Ｓｏｕｎｄｉｎｇ Ｒｅｆｅｒｅｎｃｅ Ｓｉｇｎａｌ、ＳＲＳ）リソース指示情報であり、少なくとも１つのＳＲＳリソースのうちの１つのＳＲＳリソースを示す。
【００９８】
具体的には、端末は、少なくとも１つのＳＲＳリソースでそれぞれＳＲＳを送信し、ネットワークデバイスは、端末から送信されたＳＲＳを受信した後、この少なくとも１つのＳＲＳリソースから１つのＳＲＳリソース(例えば、搬送されたＳＲＳの信号品質が最も良いＳＲＳリソース)を選択し、ＳＲＳリソース指示情報によって端末に選択されたＳＲＳを指示することができる。
【００９９】
任意選択で、端末が複数のＳＲＳリソースにおいてＳＲＳを送信する場合、異なるＳＲＳリソースの送信ビームが異なっても良い。
【０１００】
任意選択で、少なくとも１つのＳＲＳリソースの各ＳＲＳリソースは、それぞれ、他のＳＲＳリソースと比較して独立した構成パラメータ、例えば、独立したＳＲＳ送信周期、独立したＳＲＳトリガーモード、独立した送信ビーム、またはＳＲＳの送信がトリガーされるときの独立したＳＲＳ送信回数などを有することができる。
【０１０１】
任意選択で、端末は、予め設定された情報に基づいて、ＳＲＳを送信する必要があるＳＲＳリソースを決定しても良い。
【０１０２】
任意選択で、当該リソース又は信号指示情報は、チャネル状態情報参照信号（Ｃｈａｎｎｅｌ Ｓｔａｔｅ Ｉｎｆｏｒｍａｔｉｏｎ Ｒｅｆｅｒｅｎｃｅ Ｉｎｆｏｒｍａｔｉｏｎ、ＣＳＩ−ＲＳ）リソース指示情報であり、少なくとも１つのＣＳＩ−ＲＳリソースのうちの１つのＣＳＩ−ＲＳリソースを示す。
【０１０３】
具体的に、ネットワークデバイスは、少なくとも１つのＣＳＩ−ＲＳリソース上でそれぞれＣＳＩ−ＲＳを送信し、端末は、少なくとも一つのＣＳＩ−ＲＳリソースの中で各ＣＳＩ−ＲＳリソースによって送信されたＣＳＩ−ＲＳを受信しそれぞれチャネル状態情報( Ｃｈａｎｎｅｌ Ｓｔａｔｅ Ｉｎｆｏｒｍａｔｉｏｎ、ＣＳＩ )を取得してネットワークデバイスに送信し、ネットワークデバイスは、各ＣＳＩ−ＲＳリソースに対応するＣＳＩに基づいて少なくとも１つのＣＳＩ−ＲＳリソース上から１つのＣＳＩ−ＲＳリソース(例えば、チャネル品質が最良のＣＳＩ−ＲＳリソース)を選択して、端末にＣＳＩ−ＲＳリソース指示情報によって指示することができる。
【０１０４】
任意選択で、端末は、異なるＣＳＩ−ＲＳリソースでＣＳＩ−ＲＳを受信する時に、使用する受信ビームが異なっても良い。
【０１０５】
任意選択で、少なくとも１つのＣＳＩ−ＲＳリソースの各ＣＳＩ−ＲＳリソースは、他のＣＳＩ−ＲＳリソースと比較して、それぞれ独立した構成パラメータ、例えば独立したＣＳＩ−ＲＳ送信周期などを有することができる。
【０１０６】
任意選択で、端末は、予め設定された情報に基づいて、ＣＳＩ−ＲＳを受信する必要があるＣＳＩ−ＲＳリソースを決定しても良い。
【０１０７】
任意選択で、当該リソース又は信号指示情報は、同期信号ブロック指示情報であり、少なくとも１つの同期信号ブロックのうちの１つの同期信号ブロックを示す。
【０１０８】
任意選択で、ネットワークデバイスは、少なくとも１つの同期信号ブロックからランダムに１つの同期信号ブロックを選択してもよいし、端末にとって同期性能が最も良い同期信号ブロックを選択して、同期信号ブロック指示情報により端末に通知してもよい。
【０１０９】
任意選択で、端末は、予め設定された情報に基づいて、同期を行う同期信号ブロックを選択することを決定してもよい。
【０１１０】
任意選択で、端末は、ビーム相互性が利用可能であるか否かに応じて、リソースまたは信号指示情報のタイプを決定し、そのタイプ有するリソース又は信号指示情報を決定する。
【０１１１】
任意選択で、リソースまたは信号指示情報のタイプは、指示されたリソースのタイプまたは信号のタイプの違いによって区別され得る。例えば、ＣＳＩ−ＲＳリソース指示情報、ＳＲＳリソース指示情報、または同期信号ブロック指示情報の３タイプが含まれる。
【０１１２】
一方式において、当該ビーム相互性が利用可能である場合、端末は、当該リソース又は信号指示情報のタイプをＣＳＩ−ＲＳリソース指示情報、又は、同期信号ブロック指示情報として決定し、ここで、当該ＣＳＩ−ＲＳリソース指示情報は、少なくとも１つのＣＳＩ−ＲＳリソースのうちの１つのＣＳＩ−ＲＳリソースを示し、当該同期信号ブロック指示情報は、少なくとも１つの同期信号ブロックのうちの１つの同期信号ブロックを示し、
一方式において、当該端末のビーム相互性が利用不可である場合、当該リソース又は信号指示情報のタイプをＳＲＳリソース指示情報として決定し、当該ＳＲＳリソース指示情報少なくとも１つのＳＲＳ中のうちの１つのＳＲＳリソースを示す。
【０１１３】
以上、端末が、端末のビーム相互性が利用可能であるか否かに応じてリソース又は信号指示情報のタイプを決定できることを説明した。
【０１１４】
本発明の実施例において、ネットワークデバイスは、端末のビーム相互性が端末にどのタイプのリソースまたは信号指示情報を採用するかを示すのに利用可能であるかに応じて、伝送されるＰＵＣＣＨと準共アドレスされる上り又は下り信号を決定することができ、これにより、端末は、ネットワークによって示されるリソースまたは信号指示情報のタイプを用いてリソースまたは信号指示情報を取得することができる。ここで、ネットワークデバイスが使用する端末のビーム相互性は、端末からネットワークデバイスに通知されてもよい。
【０１１５】
以上、リソース又は信号指示情報のタイプに関する内容を説明したが、以下では、端末がリソース又は信号指示情報を取得する方法について説明する。ここで、以下で取得されるリソース又は信号指示情報は、上記のリソース又は信号指示情報のいずれかのタイプであってもよい。
【０１１６】
方式１）、端末が当該伝送されるＰＵＣＣＨのスケジューリングに対応する物理下り共有チャンネルＰＤＳＣＨの下り制御情報ＤＣＩから、当該リソース又は信号指示情報を取得する。
【０１１７】
任意選択で、当該伝送されるＰＵＣＣＨに下り伝送の肯定応答ＡＣＫコマンド又は否定応答ＡＣＫコマンドが伝送され、当該ＰＤＳＣＨに当該下り伝送が搬送される。
【０１１８】
任意選択で、当該リソース又は信号指示情報に基づいて、端末が当該ＤＣＩに含まれる、伝送されるＰＵＣＣＨのための送信電力制御（Ｔｒａｎｓｍｉｔ Ｐｏｗｅｒ Ｃｏｎｔｒｏｌ、ＴＰＣ）コマンドに対応する電量調整値の大きさを決定する。
【０１１９】
具体的には、リソース又は信号指示情報の異なる値は、ＴＰＣコマンドと電力調整値との対応関係を特定する異なるＴＰＣマッピング表に対応し得る。この電力調整値は、絶対値(つまり調整が必要な電力値)であってもよいし、積算値(つまり本来の電力値に加えて調整が必要な値)であってもよい。
【０１２０】
任意選択で、端末が当該リソース又は信号指示情報に基づいて、当該ＤＣＩに含まれる、伝送されるＰＵＣＣＨのためのＴＰＣコマンドが属する閉ループ電力制御プロセスを決定する。
【０１２１】
具体的に、リソースまたは信号指示情報は、伝送されるＰＵＣＣＨの送信ビームを決定するために使用されるだけでなく、現在の閉ループ電力制御プロセスを決定するために使用され得る。端末は、このリソース又は信号指示情報に基づいて、前記ＴＰＣコマンドに対応する電力調整値がどの閉ループ電力制御プロセスで累算されているかを特定する。リソース又は信号指示情報の値と閉ループ電力制御プロセスとの対応関係は、端末に予め設定されていてもよいし、ネットワークデバイスによって端末に設定されていてもよい。
【０１２２】
方式２）、最近に受信した、物理上り共有チャンネル（Ｐｈｙｓｉｃａｌ Ｕｐｌｉｎｋ Ｓｈａｒｅｄ Ｃｈａｎｎｅｌ、ＰＵＳＣＨ）のスケジューリングのためのＤＣＩから、端末が当該リソース又は信号指示情報を取得する。
【０１２３】
そのような実装例では、この送信されるＰＵＣＣＨは、下り伝送のためのＡＣＫコマンドまたはＮＡＣＫコマンドを伝送するために、またはＣＳＩを伝送するために使用され得る。
【０１２４】
方式３）、ＤＣＩから、当該リソース又は信号指示情報を取得し、当該ＤＣＩは、ＰＵＣＣＨのためのＴＰＣコマンド及びＰＵＣＣＨのためのリソース又は信号指示情報のみを含み、当該第１のＤＣＩは、当該伝送されるＰＵＣＣＨのためのＴＰＣコマンド及び当該伝送されるＰＵＣＣＨのためのリソース又は信号指示情報を含む。
【０１２５】
当該実現可能な方式において、当該伝送されるＰＵＣＣＨには下り伝送のＡＣＫコマンド、又はＮＡＣＫコマンド、又はＣＳＩが伝送されても良い。
【０１２６】
具体的に、伝送されるＰＵＣＣＨのリソース又は信号指示情報は、伝送されるＰＵＣＣＨのＴＰＣコマンドとともに示しても良い。
【０１２７】
例えば、第１のＤＣＩには、それぞれが１つのＰＵＣＣＨのＴＰＣコマンドと、当該ＰＵＣＣＨのリソースまたは信号指示情報とを含むＮ個の情報フィールドが含まれ、端末は、上位レイヤシグナリングを介して、伝送されるＰＵＣＣＨに対応する情報フィールドの当該ＤＣＩの全ての情報フィールドにおけるインデックスを取得する。
【０１２８】
方式４）、上位レイヤシグナリングから、当該リソース又は信号指示情報を取得する。
【０１２９】
この実現可能な方式において、当該伝送されるＰＵＣＣＨには、下り伝送のＡＣＫコマンド、又はＮＡＣＫコマンド、又はＣＳＩが伝送されても良い。
【０１３０】
方式５）、当該伝送されるＰＵＣＣＨが使用する電力制御プロセスに基づいて、当該リソース又は信号指示情報を決定する。
【０１３１】
この実現可能な方式において、当該伝送されるＰＵＣＣＨには、下り伝送のＡＣＫコマンド、又はＮＡＣＫコマンド、又はＣＳＩが伝送されても良い。
【０１３２】
具体的には、ネットワークデバイスは、端末に対して複数の電力制御プロセスを構成し、端末が送信するＰＵＣＣＨのための電力制御プロセスを指示する。端末は、使用されるプロセスに応じて、リソース又は信号指示情報を決定し、ここで、プロセスと少なくとも１つのリソースまたはシグナル表示情報(すなわち、少なくとも１つの情報の値)との対応関係が予め端末に設定され得るか、またはネットワークデバイスによって端末に設定されてもよい。
【０１３３】
方式６）、第１のＣＳＩに対応するＣＳＩ報告構成から、端末が当該リソース又は信号指示情報を取得し、当該伝送されるＰＵＣＣＨは、当該第１のＣＳＩの伝送に使用される。
【０１３４】
この実現可能な方式において、当該伝送されるＰＵＣＣＨには、ＣＳＩが伝送されても良い。
【０１３５】
以上の複数のリソースや信号指示情報の取得方法から分かるように、ネットワークデバイスからの情報によりリソースや信号指示情報を取得することで、ネットワークデバイスは端末がＰＵＣＣＨを送信する際に用いるビームを柔軟に調整することができる。
【０１３６】
上記では、複数のリソースまたは信号指示情報の取得方式が説明されているが、具体的にどの取得方式が採用されるかは、伝送されるＰＵＣＣＨのＰＵＣＣＨフォーマットに応じて、当該第１のリソースまたは信号の取得方式が決定されてもよく、決定された当該取得方式に従って当該リソース又は信号指示情報を取得する。
【０１３７】
例えば、ＣＳＩを伝送するために使用可能なＰＵＣＣＨフォーマットに対して、方式２)、３)、４)、５)または６ )を用いてリソースまたは信号指示情報を取得することができる。
【０１３８】
例えば、ＮＡＣＫコマンドまたはＡＣＫコマンドを伝送するために使用され得るＰＵＣＣＨフォーマットについて、方式１)、２)、３)、４)、または５)を利用して、リソースまたは信号指示情報を取得することができる。
【０１３９】
任意選択で、異なるＰＵＣＣＨフォーマットを利用するＰＵＣＣＨが使用するリソース又は信号の取得方式が、異なる。ここで、ＮＡＣＫコマンドまたはＡＣＫコマンドが送信されるＰＵＣＣＨのフォーマットは、ＣＳＩが送信されるＰＵＣＣＨのフォーマットと異なる取得方式を採用することができる。
【０１４０】
任意選択で、異なるＰＵＣＣＨフォーマットに対しても、同様の方法でリソース又は信号指示情報を取得することができる。例えば、リソースや信号指示情報は、いずれも上位レイヤシグナリングを用いて取得される。
【０１４１】
このとき、異なるＰＵＣＣＨフォーマットに対応するリソース又は信号指示情報は、独立したシグナリング又は同一シグナリングの異なる情報フィールドを用いて指示されてもよい。
【０１４２】
したがって、本発明の実施例では、端末はリソース又は信号指示情報に基づいて、伝送されるＰＵＣＣＨの送信をどのように行うかを決定する(例えば、送信ビームを決定する)ことにより、伝送されるＰＵＣＣＨをより合理的に送信することができ、通信性能を向上させることができる。
【０１４３】
図４は本願の実施例における端末４００のブロック図である。図４に示すように、当該端末４００は、処理ユニット４１０及び通信ユニット４２０を含む。
【０１４４】
任意選択で、当該処理ユニット４１０は、リソース又は信号指示情報を決定し、当該リソース又は信号指示情報に基づいて、伝送されるＰＵＣＣＨと準共アドレスされる上り又は下り信号を決定するように構成され、当該通信ユニット４２０は、当該伝送されるＰＵＣＣＨと当該上り又は下り信号との準共アドレス関係を利用して、当該伝送されるＰＵＣＣＨを送信するように構成される。
【０１４５】
任意選択で、当該処理ユニット４１０は、リソース又は信号指示情報を決定し、当該リソース又は信号指示情報に基づいて、伝送されるＰＵＣＣＨの送信ビームを決定するように構成され、当該通信ユニット４２０は、決定された当該伝送されるＰＵＣＣＨの送信ビームを利用して、当該伝送されるＰＵＣＣＨを送信するように構成される。
【０１４６】
端末４００は、方法の実施例における端末に対応することができ、方法の実施形態における端末によって実施される対応する動作は、簡潔のためにここでは説明を省略する。
【０１４７】
図５は、本願の実施例に係るシステムチップ５００の概略構成図である。図５のシステムチップ５００は、入力インターフェース５０１、出力インターフェース５０２、メモリ６０４内のコードを実行するプロセッサ５０３、及びメモリ５０４を含み、それらは内部通信接続線を介して接続することができる。
【０１４８】
任意選択で、コードが実行されると、プロセッサ５０３は、方法の実施例において端末によって実行される方法を実施する。簡潔にするために、ここでは説明を省略する。
【０１４９】
図６は、本願の実施例による通信デバイス６００の概略ブロック図である。図６に示すように、通信デバイス６００は、プロセッサ６１０と、メモリ６２０とを有する。ここで、当該メモリ６２０はプログラムコードを記憶してもよく、当該プロセッサ６１０は、当該メモリ６２０に記憶されたプログラムコードを実行してもよい。
【０１５０】
任意選択で、図６に示すように、通信デバイス６００は、プロセッサ６１０が外部と通信するように制御することができる送受信機６３０を含んでもよい。
【０１５１】
プロセッサ６１０は、メモリ６２０に格納されたプログラムコードを呼び出して、方法の実施形態における端末の対応する動作を実行してもよく、簡潔にするために、ここでは詳しい説明を省略する。
【０１５２】
本願の実施例のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５３】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ，ＰＲＯＭ )、消去可能プログラマブルリードオンリーメモリ( Ｅｒａｓａｂｌｅ ＰＲＯＭ，ＥＰＲＯＭ )、電気的消去可能プログラマブルリードオンリーメモリ( Ｅｌｅｃｔｒｉｃａｌｌｙ ＥＰＲＯＭ，ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ，ＳＲＡＭ )、ダイナミックランダムアクセスメモリ( Ｄｙｎａｍｉｃ ＲＡＭ，ＤＲＡＭ )、シンクロナスダイナミックランダムアクセスメモリ( Ｓｙｎｃｈｒｏｎｏｕｓ ＤＲＡＭ，ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ，ＤＤＲ ＳＤＲＡＭ )、エンハンスメント型シンクロナスダイナミックランダムアクセスメモリ( Ｅｎｈａｎｃｅｄ ＳＤＲＡＭ，ＥＳＤＲＡＭ )、シンクロナス接続ダイナミックランダムアクセスメモリ( Ｓｙｎｃｈｌｉｎｋ ＤＲＡＭ，ＳＬＤＲＡＭ )、及びダイレクトメモリバスランダムアクセスメモリ( Ｄｉｒｅｃｔ  Ｒａｍｂｕｓ  ＲＡＭ，ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５４】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５５】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１５６】
本願で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１５７】
また、本発明の各実施例における各機能部は、１つの処理部に集積されてもよいし、各部は、物理的に別個に存在してもよいし、２つ以上の部が１つの部に集積されてもよい。
【０１５８】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ，ＲＯＭ、ＲＡＭ、磁気ディスク、光ディスク等のプログラムコードを記憶できる種々の媒体を用いることができる。
【０１５９】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
受信ビーム又は第１の送信ビームのリソース指示情報を取得することと、
受信ビーム又は第１の送信ビームのリソース指示情報に基づいて、物理上り制御チャネルＰＵＣＣＨの第２の送信ビームを決定することと、
前記受信ビームのリソース指示情報は、少なくとも１つの同期信号ブロック（ＳＳＢ）を示すＳＳＢ指示情報と、少なくとも１つのＣＳＩ−ＲＳリソースのうちの１つのリソースを示すチャネル状態情報参照信号ＣＳＩ−ＲＳリソース指示情報と、を含み、
前記第１の送信ビームのリソース指示情報は、少なくとも１つのＳＲＳリソースを示すＳＲＳリソース指示情報を含む
ことを特徴とする無線通信方法。
【請求項２】
リソース指示情報を決定することは、
受信ビーム又は第１の送信ビームに対応する相互性の利用可能性に応じて、リソース指示情報のタイプを決定することと、
決定されたリソース情報タイプを有する前記リソース指示情報を決定することとを含む
ことを特徴とする請求項１に記載の無線通信方法。
【請求項３】
前記ビーム相互性が利用可能であるかどうかに応じて、前記リソース指示情報のタイプを決定することは、
受信ビーム又は送信ビームに対応する相互性が利用可能である場合、受信ビームのリソース指示情報がＣＳＩリソース指示情報又はＳＳＢ指示情報を含むと決定することと、
受信ビーム又は送信ビームに対する相互性が利用不可である場合、受信ビームのリソース指示情報がＳＲＳリソース指示情報を含むと決定することと、
を含む
ことを特徴とする請求項２に記載の無線通信方法。
【請求項４】
前記リソース指示情報を決定することは、
上位レイヤシグナリングから前記リソース指示情報を取得することを含む
ことを特徴とする請求項１〜３のいずれか１項に記載の無線通信方法。
【請求項５】
ＰＵＣＣＨに下り伝送の肯定応答ＡＣＫコマンド又は否定応答ＡＣＫコマンドが含まれる
ことを特徴とする請求項１〜４のいずれか１項に記載の無線通信方法。
【請求項６】
ＰＵＣＣＨにチャネル状態情報ＣＳＩが含まれる
ことを特徴とする請求項１〜５のいずれか１項に記載の無線通信方法。
【請求項７】
前記リソース指示情報を決定することは、
ＰＵＣＣＨのフォーマットに基づいて、前記リソース指示情報の取得方式を決定することと、
決定された前記取得方式に基づいて、前記リソース指示情報を取得することとを含む
ことを特徴とする請求項１〜６のいずれか１項に記載の無線通信方法。
【請求項８】
処理ユニットを備える端末であって、
前記処理ユニットは、受信ビーム又は第１の送信ビームのリソース指示情報を取得し、受信ビーム又は第１の送信ビームのリソース指示情報に基づいて、物理上り制御チャネルＰＵＣＣＨの第２の送信ビームを決定するように構成され、
前記受信ビームのリソース指示情報は、少なくとも１つの同期信号ブロック（ＳＳＢ）を示すＳＳＢ指示情報と、少なくとも１つのＣＳＩ−ＲＳリソースのうちの１つのリソースを示すチャネル状態情報参照信号ＣＳＩ−ＲＳリソース指示情報と、を含み、
前記第１の送信ビームのリソース指示情報は、少なくとも１つのＳＲＳリソースを示すＳＲＳリソース指示情報を含む
ことを特徴とする端末。
【請求項９】
前記処理ユニットは、さらに、
受信ビーム又は第１の送信ビームに対応する相互性の利用可能性に応じて、前記リソース指示情報のタイプを決定し、
決定されたリソース情報タイプを有する前記リソース指示情報を決定するように構成される
ことを特徴とする請求項８に記載の端末。
【請求項１０】
前記処理ユニットは、さらに、
受信ビーム又は送信ビームに対応する相互性が利用可能である場合、受信ビームのリソース指示情報がＣＳＩリソース指示情報又はＳＳＢ指示情報を含むと決定し、
受信ビーム又は送信ビームに対する相互性が利用不可である場合、受信ビームのリソース指示情報がＳＲＳリソース指示情報を含むと決定するように構成される
ことを特徴とする請求項９に記載の端末。
【請求項１１】
前記処理ユニットは、さらに、
上位レイヤシグナリングから前記リソース指示情報を取得するように構成される
ことを特徴とする請求項８〜１０のいずれか１項に記載の端末。
【請求項１２】
ＰＵＣＣＨに下り伝送の肯定応答ＡＣＫコマンド又は否定応答ＡＣＫコマンドが含まれる
ことを特徴とする請求項８〜１１のいずれか１項に記載の端末。
【請求項１３】
ＰＵＣＣＨにチャネル状態情報ＣＳＩが含まれる
ことを特徴とする請求項８〜１２のいずれか１項に記載の端末。
【請求項１４】
前記処理ユニットは、さらに、
ＰＵＣＣＨのフォーマットに基づいて、前記リソース指示情報の取得方式を決定し、
決定された前記取得方式に基づいて、前記リソース指示情報を取得するように構成される
ことを特徴とする請求項８〜１３に記載の端末。
【請求項１５】
異なるＰＵＣＣＨフォーマットを利用するＰＵＣＣＨが使用するリソース又は信号の取得方式が、異なる
ことを特徴とする請求項１４に記載の端末。
【手続補正３】
【補正対象書類名】図面
【補正対象項目名】全図
【補正方法】変更
【補正の内容】
【図１】
2020537842.tif 000009
【図２】
2020537842.tif 000010
【図３】
2020537842.tif 000011
【図４】
2020537842.tif 000012
【図５】
2020537842.tif 000013
【図６】
2020537842.tif 000014
【国際調査報告】
2020537842.tif 000015
2020537842.tif 000016
2020537842.tif 000017
2020537842.tif 000018